(57)【要約】【課題】陸（船）からの大型魚の、釣りで、釣り場の占有場所を狭くして、多くの人が楽しめ、かつ、大型魚釣りの初心者でも、浮き釣りに勝る釣果を得られる釣法にする釣り具を発明する事が課題である。【解決手段】先端に錘を付け、続いて水中浮きを付けて投げ竿で投げ、後着けで生き餌を付けた枝ハリス（８）を、海中に降ろしリールを巻いて道糸を張り、生き餌を付けた枝ハリスを魚道に近い棚に導き入れ、大型魚釣りの初心者でも浮き釣より勝る釣果を得られる、釣り具で枝ハリス着脱自在具（８ａ）を有する枝ハリス（８）を発明して解決した。【選択図】図１
2013176352.tif 000002
【特許請求の範囲】
【請求項１】
沿岸回遊大型魚の釣り具の、枝ハリスの枝ハリス着脱自在具であって、上記枝ハリスは枝ハリスの着脱自在具の、略球形状の玉体と、上記玉体とは別体のスナップ部を有する着脱自在部と、係止具に至る枝ハリス体とで構成されており、
上記玉体は、略中心部貫通穴を有し略球形体側面より上記貫通穴に接続するスリットを有し、上記スリットには略Ｖ字形状の案内部を有し、案内部奥に道糸が貫通可能な間隙を形成した形状をしていることを特徴とする、枝ハリスと枝ハリスの着脱自在具。
【請求項２】
上記枝ハリスの着脱自在具の略球形状の玉体と、スナップ部を有する線材体を主材とする部材とを、一体にして設けたことを特徴とする、請求項１に記載の枝ハリスの着脱自在具。
【請求項３】
上記枝ハリスの着脱自在具が、略球形状の玉体とスナップ部を有する線材体を主材とする部材とを、一体にしたものであり、
上記玉体の外周部の、上記スナップ部を有する線材体を主材とする部材との接点よりも上部に、道糸が入り得る凹部を設けており、
上記スナップ部には、開口することで道糸を挿入出来る間隙を形成されており、
上記スナップ部を閉止することで上記間隙が閉じて道糸の出し入れをロックするロック構造が備わっていることを特徴とする、請求項１に記載の枝ハリスの着脱自在具。
【請求項４】
上記枝ハリスの着脱自在具が、スナップ部を有する線材体に枝ハリス止め体で止め得るリング穴部を設け、上記リング穴部には道糸が貫通可能な間隙を設けたものであることを特徴とする請求項１に記載の枝ハリスの着脱自在具。
【請求項５】
上記枝ハリスの先端の係止具の連結形態が、係止具を枝ハリスの先端部に２個設け、２個の内１個を遊動自在に設けて、上記２個の係止具の針先の方向を向い合わせにして、かつ、前記遊動自在に設けた係止具の遊動範囲部分を、可塑性材料のパイプを通して覆うか、可塑性樹脂コーティングをして設けたものであることを特徴とする請求項１に記載の枝ハリス。
【請求項６】
上記枝ハリスの着脱自在具と枝ハリスの先端部の係止具とを連結する仕掛けを更に有し、上記仕掛けが両端結束部に、上記枝ハリスの着脱自在具及び係止具を潜らせ得る輪を設けたものであり、上記輪はハリスに可塑性材料系のパイプで覆うか、可塑性樹脂コーティングをして設け、上記輪を上記枝ハリスの着脱自在具の管部及び係止具の管部に潜らせ、更に上記潜らせた結束部の輪内に上記枝ハリスの着脱自在具及び係止具を潜らせ結束することを特徴とする、請求項１に記載の枝ハリス。



【発明の詳細な説明】
【技術分野】
【０００１】
すずき（はね）ぶり（はまち、）さわら、かんぱち，ひらめ、しまあじ、等の沿岸回遊大型中型魚の、釣り具に、関する技術である。
【背景技術】
【０００２】
針に餌となる小魚（いわし・さば・あじ・このしろ等々）を鼻掛け・背掛けで付けて、２〜7ｍ上に浮きを付け海中に投入し、後は魚が勝手に動く、釣り人は他人の仕掛けともつれるのを監視すると言う釣り方が一般的なものである。
【先行技術文献】
【特許文献】
【０００３】
【特許文献１】特開２０００−１５７１２４
【特許文献２】実登３０９４５０１
【特許文献３】実開昭５７−１６７６７７
【特許文献４】実登３１３６０４５
【特許文献５】実開平３−２７９７２
【０００４】
すずき（はね）ぶり（はまち、）さわら、かんぱち，ひらめ、しまあじ、等の、沿岸回遊大型魚の、泳がせ釣法に、関する先行技術文献は見つける事は出来なかったが、道糸に、着脱自在に出来る糸用係着部の構造に関する技術（例えば特許文献１）がある。
スナップサルカンで現在では一般的に販売されている物でスナップ底部の略Ｕ字形の部分をチュウブで被った技術（例えば特許文献２）がある。
ラセン式簡易中通し浮きで、道糸の途中から着脱自在にした技術（例えば特許文献３）がある。
ルァー用フックのアイにスナップの開閉側と反対側のリングを通した技術（例えば特許文献４）がある
浮子本体に糸部の太さより大きい挿通穴を有する係止部を形成し、糸部への着脱を自在にした技術（例えば特許文献５）がある
【発明の概要】
【発明が解決しようとする課題】
【０００５】
鼻掛け・背掛けした餌を付けて、２〜７ｍ上に浮きを付け海中に投入し、後は魚が勝手に動くので、釣り人は他人の仕掛けと自分の１〜３本投入している、仕掛けどうしがもつれるのを監視すると言う釣り方が一般的なものであるが、海面には殆どの場合潮流・風等がありこれらを受けて餌の小魚は広範囲に動き回るので、釣り人一人が、１本の仕掛けを使用した場合、占有する釣り場所は、岸壁の長さで竿１本に付き少なくとも１０ｍは必要となる。
この泳がせ釣りで、例えば３００ｍある岸壁で、釣り人一人が、２本の竿を使用した場合、最大で１５人しか釣ることが出来ず、釣るためには場所の確保が一番で、場所取りのため、日の出より１〜２時間早く行かなければならない、これを釣り人一人が、１本の竿を使用した場合、占有する釣り場所は最少で１本に付き６ｍ程度にすることが出来るので、同じ場所で釣りを楽しめる人数は最大で２５人となる、この釣法を可能にする、仕掛け及び用具を構成する部品を提供する事が課題である。
もちろん浮き釣りと同等かそれ以上の釣果が得られる（１か月とかの平均値で）ことも
必須課題である。
【課題を解決するための手段】
【０００６】
第一の発明は沿岸回遊大型魚の釣り具の、枝ハリス（８）と枝ハリスの着脱自在具（８a）であって、上記枝ハリス（８）は枝ハリスの着脱自在具（８a）の略球形状の玉体（Ｚ）と、上記玉体とは別体のスナップ部を有する着脱自在部（８ａｂ）と着脱自在部から係止具に至る枝ハリス体（８ａｃ）とで構成されており、
上記玉体は、略中心部貫通穴（Ｈ）を有し略球形体側面より上記貫通穴に接続するスリット（Ｗ）を有し、上記スリットには略Ｖ字形状の案内部を有し、案内部奥に道糸が貫通可能な間隙（Ｓ）を形成した形状をしていることを特徴とする、枝ハリスと枝ハリスの着脱自在具（８ａ−１・８ａ−２・８ａ−３）を提供する。
第二の発明は上記枝ハリスの着脱自在具（８a）の略球形状の玉体（Ｚ）と、スナップ部を有する線材体を主材とする部材（８ａｂ）を、一体にして設けたことを特徴とする、第一の発明に記載の枝ハリスの着脱自在具で、
上記発明は第一の発明に記載の枝ハリスの着脱自在具（８ａ）の略球形状の玉体（Ｚ）とスナップ部｛Ｓａ・Ｓｂで、弾性線材体を主材とした構造で、判り易い代表例で言えば「安全ピン」で弾性線材体Ｓｂとそれを受けるスナップ受け板金部Ｓａとで構成し、本願発明ではＳａ・Ｓｂが係合された状態から弾性線材体Ｓｂに力を加え、前記係合状態を解除してＳａ・Ｓｂ間に開口部を設け、前記開口部から道糸（１０）を出し入れする着脱自在部に用いている釣り具で、以降スナップ、及びスナップ部の、の説明は省略する｝（Ｓａ・Ｓｂ）を有する線材体を主材とする部材とを、一体にして設けたことを特徴とする枝ハリスの着脱自在具（８ａ−７・８ａ−１１）を提供する。
第三の発明は上記枝ハリスの着脱自在具（８ａ）が、略球形状の玉体（Ｚ）とスナップ部（Ｓａ・Ｓｂ）を有する線材体を主材とする部材（８ａｂ）とを、一体にしたものであり、
上記玉体の外周部の、上記スナップ部を有する線材体を主材とする部材との接点よりも上部に、道糸が入り得る凹部を設けており、
上記スナップ部には、開口することで道糸を挿入出来る間隙（Ｓ）を形成されており、
上記スナップ部を閉止することで上記間隙が閉じて道糸の出し入れをロックするロック構造が備わっていることを特徴とする、第一の発明に記載の枝ハリスの着脱自在具（８ａ−７・８ａ−１１）を提供する。
第四の発明は上記枝ハリスの着脱自在具（８ａ）が、スナップ部（Ｓａ・Ｓｂ）を有する線材体に枝ハリス止め体（７）で止め得るリング穴部（Ｈ）を設け、上記リング穴部には道糸を挿入出来る間隙（Ｓ）を設けたものであることを特徴とする第一の発明に記載の枝ハリスの着脱自在具（８ａ−４・８ａ−５・８ａ−６）を提供する。
第五の発明は上記枝ハリス（８）の先端の係止具（８ｃ）の連結形態が、係止具（８ｃ）を枝ハリスの先端部に２個設け、２個の内１個を遊動自在に設けて、上記２個の係止具の針先の方向を向い合わせにして（８ｃ−１・８ｃ−２）、かつ、前記遊動自在に設けた係止具の遊動範囲部分を、可塑性材料のパイプを通して覆うか、可塑性樹脂コーティングをして設けたものであることを特徴とする第一の発明に記載の枝ハリスを提供する。
第六の発明は上記枝ハリス（８）の着脱自在具（８ａ）と枝ハリスの先端部の係止具（８ｃ）とを連結する仕掛けを更に有し、上記仕掛けが両端結束部に、上記枝ハリスの着脱自在具及び係止具を潜らせ得る輪を設けたものであり、上記輪はハリス（８ｂ−１）に可塑性材料系のパイプで覆うか、可塑性樹脂コーティングをして設け、上記輪を上記枝ハリスの着脱自在具（８ａ）の管部及び係止具（８ｃ）の管部に潜らせ、更に上記潜らせた結束部の輪内に上記枝ハリスの着脱自在具及び係止具を潜らせ結束する、ことを特徴とする、第一の発明に記載の枝ハリスを提供する。
【０００７】
道糸の先端に潮流と、餌となる小魚の力で簡単に動かない錘を付け（１）、竿先に向かって順に、魚が掛かった時抜け落ちないストッパーになる物を付け（２）、しもり（３）、浮き（４）、しもり（５）、浮き止め（６）、枝ハリス止め体（７）、｛前記（６）と（７）の間隔は、少なくとも枝ハリスの長さの１．１倍は必要、｝竿の先端ガイド（９）に至る仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８Ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、魚信を待つ釣法にし、上記釣法に使用する釣り具を発明して解決した。
【発明の効果】
【０００８】
発明が解決しようとする課題の、釣り人一人が１本の仕掛けを使用した場合、占有する釣り場所は最少で１本に付き少なくても６ｍ程度にすることが出来た（船釣りの場合も同様に占有海面を少なくとも4割程度にすることが出来た）。
【０００９】
釣り人が他人の仕掛けと自分の１〜２本投入している、仕掛けどうしがもつれるのを監視する回数（及び時間）が少なくて済むように成った。
【００１０】
試釣の結果では、浮き釣りと本願発明の釣法とでは、後者の方が優位であった。
【００１１】
餌の小魚の深さ及び前後方向の移動範囲が広く（浮き釣りに対して深さ方向の移動範囲が特に広く、設定次第では海底からの海面迄の深さ１５ｍ程度であれば、海底付近から水面近くまで生き餌が動き回ることが可能と）成った。
【図面の簡単な説明】
【００１２】
【図１】（イ）この仕掛けを投入し、道糸を張って魚信を待つ釣法の概略全体図である。        （ロ）枝ハリス部を付けない状態で海中に投入した図。        （ハ）竿を道糸に手が届く位置に（倒）し、（８）の枝ハリスと生き餌（８ｄ）を取りつけた図。        （ホ）すべてをセットして魚信を待つ状態図。
【図２】（イ）枝ハリス着脱部と枝ハリス止め具の分離型８ａ−１タイプ図。        （ロ）同上枝ハリス着脱部のＡ−Ａ・Ｂ−Ｂ断面図。        （ハ）枝ハリス着脱部と枝ハリス止め具の分離型８ａ−２（８ａ−３）タイプ図。                    （ホ−１）同上枝ハリス着脱部の道糸が貫通可能な間隙（Ｓ）に弾性部（Ｄ）を持つタイプのＣ−Ｃ・Ｄ−Ｄ断面図。          （ホ−２）同上枝ハリス着脱部の道糸が貫通可能な間隙（Ｓ）に弾性部（Ｄ）を持たないタイプのＣ−Ｃ・Ｅ−Ｅ断面図。
【図３】（イ）枝ハリス着脱部の略円板状の弾性性状を有する樹脂製で円周外面にヒンジ部と弾性ロック部を持つタイプの開口状態図。        （ロ）同上弾性ロック部噛み合う直前図。        （ハ）同上弾性ロック部がロックした図        （ホ）（ハ）図と枝ハリス着脱部のスナップサルカンを道糸にセットした図。        （ヘ）別Ａタイプの例図。弾性性状を有する樹脂を主材とする着脱自在具部（８ａ）の樹脂に軟体金属（アルミニューム・真鋳・ステンレス）をインサート成形しスナップサルカンから係止具に至る枝ハリス（８）を一体化したイメージ図、      （ト）別Ｂタイプの弾性ロック部の例図。弾性の凸を／弾性の凹もしくは弾性の凸／貫通穴（Ｒｋ−２）を組み合わせた、ロック機構のＫ−Ｋ断面イメージ図
【図４】（イ）枝ハリス着脱部と、玉体とは別体のスナップ部を有する着脱自在部の一体型８ａ−７のタイプ図。        （ロ）枝ハリス着脱部と玉体とは別体のスナップ部を有する着脱自在部の一体型８ａ−８のタイプ図。        （ハ）８ａ−８のタイプのＦ−Ｆ断面図。
【図５】（イ）枝ハリス着脱部のスナップ部を線材で構成した８ａ−９のタイプ図。        （ロ）枝ハリス着脱部のスナップ部を線材で構成した８ａ−１０のタイプ図。                                                            （ハ）枝ハリス着脱部のスナップ部を線材で構成した８ａ−１１のタイプ図。
【図６】（イ）枝ハリス着脱部と枝ハリス止め具の一体型で中ゴマを持つ８ａ−１２のタイプ図。              （ロ）同上枝ハリス着脱具を道糸に着脱出来る状態図。        （ハ）中ゴマを、道糸を着脱出来る位置に回した枝ハリス止め具部分の拡大図。                      （ホ）同上枝ハリス着脱部Ｇ−Ｇ断面図。
【図７】枝ハリス着脱部に接続している錘の、両端部内径入り口側を大径としたテーパーを設けた（８ｅ−１）錘。の部分断面図
【図８】（イ）枝ハリス着脱部を線材で構成した８ａ−４の装着手順図。        （ロ）枝ハリス着脱部を線材で構成した枝ハリス部８ａ−４タイプ図。        （ハ）枝ハリス着脱部を線材で構成した枝ハリス部８ａ−５タイプ図。        （ホ−１）枝ハリス着脱部を線材で構成した８ａ−６のタイプ部分断面図。（ホ−１〜３）枝ハリス着脱部を線材で構成した８ａ−６タイプの装着手順図。
【図９】（イ）枝ハリス全体の１例図で、トリプルフック２個を針先部が向い合せにセットし、８ｃ−２を遊動にした仕掛け図｛この場合枝ハリス着脱部は８ａ−１〜８ａ−１３の何れかとの組み合わせで８ｅ・８ｆ・Ｙは取り付けられ、ハリス８Ｂ−１で連結されている、（ロ）〜（ヌ）迄は同じで、記載は省略している｝。        （ロ）枝ハリス全体図の針部のトリプルフック2個の前後を針先部が向い合せにセットした、二股吊り仕掛け図。        （ハ）枝ハリス全体図の針部をトリプルフックとシングルフックを直列にセットした仕掛け図。        （ホ）枝ハリス全体図の針部のトリプルフック１個を取り付けた仕掛け図。          （ヘ）枝ハリス全体図の針部のシングルフック１個を取り付けた仕掛け図。        （ト）枝ハリス全体図の針部のシングルフック２個を針先部が向い合せにセットした二股吊り仕掛け図、        （チ）枝ハリス全体図の針部のシングルフック２個を直列にセットした仕掛け図。（リ）枝ハリス全体図の針部のダブルフック２個を直列にセットした仕掛け図。（ヌ）シングルフック、ダブルフック、トリプルフックの何れかを遊動とし、遊動部にパイプを入れた仕掛け図。        （８ｃ−１イ〜ホ）トリプルフックにハリス切れ緩衝パイプ結束要領図。
【図１０】（イ）大型魚用釣り針（８ｃ）のハリスとの結び方の１例「南方延縄結び」（ロ）「カン付南方延縄結び」の結び手順の図
【図１１】海中での生餌の生きの良い時の泳ぐ状態図
【発明を実施するための形態】
【００１３】
本願発明の釣法を可能にしたのは、枝ハリス着脱自在具（８ａ）と着脱自在具から係止具に至る部分の発明を主とし、更に付帯発明を積み重ねたことで、海底の障害物（磯の海底の岩、岩に付着している貝類及び海藻、捨てられ海底に落ちている大型ごみ及び枝付流木が沈殿し海底に半分埋まった物等）に枝ハリスを絡まらなくした事、水深方向の生餌魚の移動可能範囲を広くし得た事（釣り人は一般的に棚を広げたと言う）、魚が掛かり取り込むまでには、数回〜弐十数回の魚の強烈な引き込みが有るが、その強烈な引き込みに耐えられる仕掛けにした事、更に魚は掛かるが取り込む過程で切られる回数を非常に少なくした数点の発明等々で、初心者でも陸部（船）から大型魚か釣れる、泳がせ釣り仕掛け、及びその仕掛けを使った釣り方（泳がせ釣り方法）が発明出来、その実施形態としては、次段落で記述する方法がよい。
【００１４】
従って実施するための形態として、竿からリール・道糸・枝ハリス・浮き・錘に至るまでを対象魚類別（例えば河口付近でのスズキ・ブリ等、更に外洋に近い付近でのブリ・ヒラメ又は黒潮直接当たる付近での、ヒラマサ・ヒラメ・カンパチ・シマアジ等・親潮が直接当たる付近での鮭等々）のセットで販売するのが良い、各パーツを１パッケージとして、組み着けは購入者にＣＤ・ＤＶＤ・ＢＤ等で解説し、手順書として添付する方法もあるし、
【００１５】
基本部品（竿・道糸・リール）のみをセットとして、その他のパーツを数種類解説書付で、購入者にパッケージ単位で選ばせて、組み着けは購入者にＣＤ・ＤＶＤ・ＢＤ等で解説し、手順書として添付する方法もあるが、
少し経験のある人向きには、リール・道糸・枝ハリスのセットか又は枝ハリス（８）のみか、枝ハリスの着脱自在具（８ａ）のみを、部品として販売するのが好ましい方法である。
以上が、推奨する実施するための形態である。
【００１６】
大型魚が釣れる、泳がせ釣り仕掛けを使った釣り方（泳がせ釣り方法）に付いては、試作品等か完成した段階でビデオ撮影しＣＤ・ＤＶＤ・ＢＤ又は本で販売するのが、好ましい形である。
【実施例】
【００１７】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１８】
道糸の先端に潮流と、餌となる小魚（いわし・さば・あじ・このしろ・わち・さより・イカ・等々）の力で簡単に動かない錘（１０〜１００号）を付け（１）、竿先に向かって順に、魚が掛かった時抜け落ちないストッパーになる物を付け（２）、しもり{さかなのあがきの力で破断しない物で引き上げる時、浮きの（１）の方向の抜け止めとなる物}（３）、浮き（４）、しもり｛道糸の太さに適合した物で海中で（６）の浮き止めで止まり前記浮きを（６）の位置に海中で保持出来る物｝（５）、浮き止め｛一般的に使用されている市販品で良く（５）のしもりで浮きの上昇端を決められるもの｝（６）、枝ハリス止め体｛（６）の浮き止めよりスライドし難く（８）の枝ハリス着脱具が、泳がしている餌の力で（１）の方向に移動しない物、もしくは移動し難く出来る物｝（７）、前記（６）と（７）の間隔は、少なくとも枝ハリスの長さの１．１倍は必要、｛この仕掛けでは（６）と（７）の間隔は４．５ｍ｝、竿の先端ガイド（９）に至る仕掛けで、釣り魚がいる筈の点より（１）〜（７）迄の距離をプラスした点付近を目標に仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８Ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、（１６玉網）又は（１７ギャフ）を近くに置いて魚信を待つ、泳がせ釣り方法で使用する釣り具。
【００１９】
図１の説明をすると枝ハリス部を付けない状態で海中に投入した図｛図１（ロ）｝であり、次に竿を竿の先端ガイド（９）に手が届く位置に（倒）し竿の先端ガイド（９）より前方の道糸を取り（８）の枝ハリスを取りつけ、枝ハリス先端部の係止具に泳がせ釣りの生き餌（８ｄ）を掛け、海中に降ろす前段階の図｛図１（ハ）｝であり、次に生き餌（８ｄ）が付いた枝ハリス（８）を海中に降ろし、竿を立て道糸が張るまでリールを巻き、置き竿とした図｛図１（ホ）｝であり、魚が掛かった時、道糸及びハリスを切られない対策 をして魚信を待つ釣法｛図１（イ）｝である。（１２は魚に竿ごと海中に持っていかれない為の重し）・ （１３は魚が掛かった時の強烈な引き込みによる糸切れを防止する緩衝具）・ （１４は少し離れた位置で、ほかの事をしていても掛ったことを知らせる物、例えば音を出すもの）・ （１５は竿掛け保持具)等々をセットした図｛図１（ホ）｝、（前記１２・１３・１４・１５はこの釣法で採用している方法であって、釣り具セットとして販売する時は、オプション的存在である)
｛図１（イ）｝は、この仕掛けを投入し、道糸を張って魚信を待つ釣法の概略全体図である
【００２０】
前記この仕掛けを投入した後、餌の魚が岸側（竿の先端ガイド９方向）に来るときは、水面付近で道糸を中心として抵抗力の掛かる方向へキラキラと魚体をキラメカシながら泳ぐ（この場合魚は竿先方向即ち浅くなる方向に泳ぐ）、又沖側に（錘１の方向）に出るときは、枝ハリス止め体（７）までの間でいきよいが良い時は、道糸を中心として抵抗力の掛かる方向(主に左右及び深い方向に道糸を「くの字」に曲げながら)へキラキラと魚体をキラメカシながら泳ぐ（図１１）、このキラキラと魚体をキラメカシながら泳ぐ事が集魚効果に繋がっている。
【００２１】
投げ竿（１１）を用いて錘（１）を投入後、着脱自在な着脱具を有する移動自在の枝ハリス（８）を取りつけ、更に前記係止具（８ｃ）に生餌（８ｄ）を取りつけ投入し魚信を得る、泳がせ釣り方法で
枝ハリス（８）を取り付けないで、錘（１）を投入し｛図１（ロ）｝、次に竿を竿の先端ガイド（９）に｛道糸（１０）｝に手が届く位置に（倒）し竿の先端ガイド（９）より前方の道糸を取り、枝ハリス（８）の枝ハリス着脱具（８ａ）を、前記道糸（１０）に取りつけ、枝ハリス先端部の係止具（８ｃ）に泳がせ釣りの生き餌（８ｄ）を掛け海中に降ろす準備が出来｛図１（ハ）｝、次に生き餌（８ｄ）が付いた枝ハリス（８）を海中に降ろし、竿を立て道糸が張るまでリールを巻き、置き竿とし｛図１（ホ）｝、魚が掛かった時、道糸及びハリスを切られない対策｛図１（イ）の（１２）・（１３）・（１５）・及びリールのドラッグを緩める｝をして｛図１（ホ）｝、魚信を待つ釣法｛図１（イ）｝で、上記釣法に使用する釣り具の上記枝ハリス着脱具（８ａ）から係止具（８ｃ）に至る枝ハリス体（８ａｃ）とで構成した枝ハリス（８）である。
【００２２】
（８）の枝ハリスはこの仕掛けを実現可能にし、かつ、浮き釣りに対して同等かそれ以上の釣果にし得た部分であり、着脱自在具（８ａ）と、より戻しと、生餌（ｄ）を係止する係止部（８ｃ）と、それらを連結するハリス（８ｂ−１）を、主構成品とし、
発明が解決しようとする課題を、解決するキーポイントとなった部分なので、枝ハリス部（８）、を分割して記述する。
【００２３】
（８ａ）この部分がこの釣りで、浮き釣りに対して同等かそれ以上の釣果にし得た部分であり、それぞれのパーツは市販されていたり、当業者もしくは釣りキチなら容易に想到し得る物であるが、それに少しずつの発明を組み合わせ（積み重ね）て、新しい機能（同じ釣り場所で浮き釣りに対して同等かそれ以上の釣果にし得た）をもたらした物で、代表となる部品を図示するが、道糸の通る位置・ストッパーの位置・長さ・大きさは、釣り具がわかる人ならその図を見て、簡単に想到出来、又変更出来る部分の記載は省き代表例で記載している。
【００２４】
第一の発明は図 ２の枝ハリス（８）の着脱自在具の着脱自在部であって、図２（イ）の８ａ−１は、略球形状体の玉体（Ｚ）に一箇所の略中心部貫通穴｛道糸（１０）が通る軸線方向の穴（Ｈ）｝を有し、略球形体側面より道糸（１０）が通る軸線方向の穴（Ｈ）迄の割れ目(スリット、Ｗ）を設け、前記割れ目(スリット、Ｗ）には略Ｖ字状の案内部を有し、案内部奥に道糸が貫通可能な間隙（Ｓ）を形成し、割れ目の入り口にはリップ部（Ｔ）を設け割れ目位置を認識し易くし、更に着脱時に｛図  ２（ロ）のＡ−Ａ断面図｝ 着脱を容易にする弾性部（Ｄ）と枝ハリス止め玉を指でつまみ易くする、略平坦部を前記略球状体の玉体（Ｚ）の両側に設け、更に魚か掛った時枝ハリス止め体（７）を動き難くするテーパー（ＴＰＨ）を、道糸（１０）が通る軸線方向の穴（Ｈ）の枝ハリス止め体（７）側（もしくは両側）に設け、｛図  ２（ロ）のＢ−Ｂ断面図｝、道糸に前記８ａ−１を嵌め込み、更に上記玉体とは別体のスナップ部を有する着脱自在部（８ａｂ）のストッパー付スナップサルカン｛８ａ−１〜３、８ａ−１３が通り抜けないもの、（８１）であるが、道糸に着脱自在に出来るものなら良く、ストッパー付スナップサルカンには拘らないが（Ｙのより戻し機能が必ずついたものがより好ましい）、以後のストッパー付スナップサルカンの記載は同じ意味を含んでいるので、此の括弧内の再記載は省略する。｝とストッパー付スナップサルカンから係止具に至る枝ハリス体（８ａc）を別体で後続して、竿を倒して｛図１（ハ）の状態にする｝ストッパー付スナップサルカンのスナップ部の開閉により装着する、枝ハリス（８）と枝ハリスの着脱自在具（８ａ）｛道糸を張れば図１（イ）の状態になる｝。
この段落に記載の略球状体の玉体（Ｚ）は、一例として玉で記載しているが形状には拘らなく、板状体・円板体・円盤体・四角・八角等の多角形の立方体や略楕円形を含む丸みを持つ形状の物でも、枝ハリス止め体（７）で、枝ハリス着脱自在具（８ａ）を有する枝ハリス（８）が、止まる機能を有する物なら、すべて本願発明に含む。
この段落に、道糸（１０）が通る軸線方向の穴（Ｈ）を設け、道糸が貫通可能な間隙（Ｓ）を設ける、と記載しているが、前記道糸が貫通可能な間隙（Ｓ）は、枝ハリス着脱自在具（８ａ）の穴（Ｈ）に道糸を嵌め込み、枝ハリス着脱自在具（８ａ）が道糸を移動自在に係止された状態時で、図１１に記載の道糸の形状、すなわち道糸を餌の魚（８ｄ）が抵抗力の掛かる方向に引っ張るので、その時の道糸は「くの字」になっていて、餌の魚（８ｄ）が枝ハリス止め体（７）方向もしくは竿先方向へ進もうとする時、穴（Ｈ）に設けた間隙（Ｓ）に食い込みその位置から枝ハリス止め体（７）、方向へ進めなくならない間隙（Ｓ）にして設ける事が、好釣果に繋がる、｛本願発明に記載の枝ハリス着脱自在具（８ａ）すべてに設ける、道糸（１０）が通る穴（Ｈ）の道糸が貫通可能な間隙（Ｓ）は、海面から枝ハリス止め体（７）間は、餌の魚(８ｄ)がどのような方向に引張つても、全て、間隙（Ｓ）に道糸（１０）が食い込まなく、スムースにスライドし得る間隙（Ｓ）を有する物が好ましい｝。
【００２５】
前述の割れ目の入り口のリップ部（Ｔ）は割れ目の方向、位置を判り易くするものであり、又着脱を容易にする弾性部Ｄと略球状体の玉体（Ｚ）の両端に指でつまみ易くする略平坦部｛図２（ロ）のＡ−Ａ断面図｝は設け無くても良く、略平坦部は操作性を良くする物であり、着脱を容易にする弾性部（Ｄ）を設けない場合は、道糸の弾性力（道糸をつぶす方向の力）での装着であり道糸の太さと道糸（１０）を嵌め込む割れ目の軸線方向の穴（Ｈ）直近の間隙（Ｓ）の設定が狭くなる、言い換えれば道糸（１０）の直径により適合する略球状体の玉体（Ｚ）の種類が多くなる。
【００２６】
前項に記載のリップ部（Ｔ）と
弾性部（Ｄ）と略球状体の玉体（Ｚ）の両端に指でつまみ易くする略平坦部を設けていないのが、図２（ハ）と（ホ―２）の（Ｃ−Ｃ断面図）・（Ｅ−Ｅ断面図）に記載の、枝ハリスの着脱自在具の８ａ−３で、割れ目の位置を軸線方向穴（Ｈ）の側方向に設け、前記穴（Ｈ）に貫通させ、穴（Ｈ）直近の間隙（Ｓ）部に弾性部（Ｄ）を設けた物が図２（ハ）と（ホ―１）の（Ｃ−Ｃ断面図）・（Ｄ−Ｄ断面図）に記載の、枝ハリスの着脱自在具の８ａ−２であり、この図｛図 ２（ハ）と（ホ―２）の（Ｃ−Ｃ断面図）・（Ｅ−Ｅ断面図）、図 ２（ハ）と（ホ―１）の（Ｃ−Ｃ断面図）・（Ｄ−Ｄ断面図）｝には魚か掛った時枝ハリス止め体（７）、を締めこむ作用をするテーパー（ＴＰＨ）を道糸（１０）が通る軸線方向の穴（Ｈ）の枝ハリス止め体（７）側・（もしくは両側）に設けていないが、前記テーパー（ＴＰＨ）を設けることも本願発明に入っている。
これ以降枝ハリスの着脱自在具の記載では、前記テーパー（ＴＰＨ）を設けることも出来る道糸（１０）の通る部材を使用している着脱自在具には、図示していなくても、又記載していなくても、前記テーパー（ＴＰＨ）を設けた物も含んでいる。
【００２７】
前記略球状体の玉体（Ｚ）の道糸（１０）が通る軸線方向の穴（Ｈ）の穴芯の位置を変えて（偏芯させる）穴芯と略球状体の玉体（Ｚ）の外壁部との肉厚を薄くする方向に変える事でも、又は材質の弾性度を変える事でも対応でき本願発明に含む。
この段落に記載している事項は全枝ハリス（８）構造の派生例として適用する｛但し金属線材のみの使用、例えば図５の（イ）、図６の場合や図８の線材部が弾性部（Ｄ）の働きをしている場合等は除く｝
【００２８】
着脱自在具（８ａ）の着脱部は、着脱時に道糸に傷をつけないものが好ましい。（道糸の傷部に集中応力が掛かり、糸切れにつながる）
例えば図４のようにストッパー部やスナップ部を受けるシャープなエッジを持った部分（板金加工部）に、樹脂コーティングをして設け、線材部に可塑性樹脂のパイプ（Ｐ１）を挿入し、かしめるとか、線材部と板金部を別々に樹脂コーティングし組み付ける等、糸切れにつながる傷を、つけない対策を（部分的でも良い）するのが好ましい、
【００２９】
又この線材部を可塑性樹脂コーティングすることで実登３０９４５０１（特許文献２）に記載の樹脂のパイプの挿入と同じ効果、即ち大型魚が食いつき、強烈な引き込みがあった時の糸切れ防止機能を有する事になる。
【００３０】
前記弾性材料（エラストマー）又は可塑性材料のパイプを通して覆うか、可塑性樹脂コーティングをしたパイプを挿入してかしめるとか、樹脂コーティング等が必要な理由は、対象魚をブリとして記述するが、８０ｃｍ〜１ｍオーハーで１０ｋｇ前後の魚であるので、当然掛かると数十メートルは逃げ回るので、少なくて６ｍ間隔で釣っている人の竿の仕掛けの何本かに絡む、絡んだ場合掛かっていない自分の仕掛けで、釣れている人の道糸に傷を付け、糸切れとなり逃がしてしまう・・・自分が釣れていて他人の仕掛けで切られるケースもある、同じ釣り場で十数人が釣りをしていても、２〜７日間一匹も釣れない事が多々ある中、自分にしても他人にしても、掛った魚を仕掛けの悪さで逃がしてしまうのは避けたい為である。
【００３１】
第二の発明は枝ハリスの着脱自在部（８ａ）の略球状体の玉体（Ｚ）とスナップ部（Ｓａ・Ｓｂ）を有する線材体を主材とする部材とを、一体にして設けたことを特徴とする枝ハリス着脱自在具（８ａ−７・８ａ−１１）で
段落番号００２４項から段落番号００２７項に記載の略球状体の玉体（Ｚ）に着脱自在部を設けた着脱自在具（８ａ‐１、８ａ−２、８ａ−３・図２）を、道糸に前記着脱自在部を嵌め込み、次に枝ハリス（８）を有するストッパー付スナップサルカンの、前記スナップサルカンのスナップ部の開閉により道糸（１０）に係止していた｛二回（２部品）着脱していた｝物を、一体にして設けたことで、一回で着脱出来る枝ハリス着脱自在具（８ａ）としたことを特徴とする物であって、
前記着脱自在部を設けた略球状体の玉体（Ｚ）（８ａ‐１、８ａ−２、８ａ−３・図 ２）
に、ストッパー付スナップサルカンの線材部を、略球形状体の玉体（Ｚ）の外周面部に前記線材部を入れうる凹部を設け、線材部を入れて固着する、この方法は前記２部品を一体に加工する方法の一例である。
この枝ハリス着脱自在具（８ａ−７・８ａ−１１）、の内８ａ−７を代表例とした、道糸への着脱方法は（図４）、閉じているスナップサルカンのＳｂ−４を内側方向に押してＳａ−４からＳｂ−４を外して（イ‐ａ）からスナップ部が開口した（イ‐ｂ）の様にして、前記開口したスナップ部から中に入れ、略球体部に設けている間隙（Ｓ）から道糸（１０）を嵌め込み（イ‐ａ）の状態に戻すことで、道糸へ装着出来る、道糸から外す時は、前述の逆方法で行う。８ａ−１１の道糸への着脱方法も、同じ要領なので省略する。
【００３２】
第三の発明は枝ハリスの着脱自在具部（８ａ）の略球形体の玉体（Ｚ）とスナップ部（Ｓａ・Ｓｂ）を有する線材体を主材とする部材とを、一体にして設けたことを特徴とする枝ハリス着脱自在具で｛図４・ロ（ｃ．ｄ）・図５（ロ−１、ロ−２）｝、上記玉体の外周部であって、上記スナップ部（Ｓａ−４・Ｓｂ−４）・（Ｓａ−２・Ｓｂ−２）を有する線材体を主材とする部材のスナップ部（Ｓｂ−４・Ｓｂ−２）の線材との、接点上部に道糸を挿入する凹部を設け、前記線材体を主材とする部材のスナップ部（Ｓａ−２・Ｓｂ−２）・（Ｓａ−４・Ｓｂ−４）を内側方向に押してＳａ−４又はＳａ−２からＳｂ−４又はＳｂ−２を外して（ロ‐１）・（ロ‐２）スナップ部を開口し、道糸を挿入しうる間隙（Ｓ）を形成するとともに、上記スナップ部（Ｓｂ−２・Ｓｂ−４）の閉止により、前記道糸を挿入しうる間隙（Ｓ）が閉じ、道糸（１０）が通る軸線方向の穴（Ｈ）からの道糸（１０）の出し入れを、ロックする構造を設けた事を特徴とする枝ハリスの着脱自在具（８ａ−８・８ａ−１０）。
着脱自在具（８ａ−８）｛図５・（ロ−１）・（ロ−２）｝は、前記着脱自在具（８ａ−１０）のスナップサルカン部が線材体に変わったのみで、枝ハリス着脱自在具（８ａ−８）の道糸への着脱要領は同じなので省略する。
この段落の記載は略球形体としているが、枝ハリス止め体（７）で、枝ハリス着脱自在部（８ａ）を有する枝ハリス（８）部が、止まる機能を有する物なら、略球形体に拘らず、例えば板体・円板体・円盤体・４角、６角等多角形の立方体や、略楕円形を含む円弧を持つ形状で有っても良い。
【００３３】
第四の発明は枝ハリス（８）の着脱自在具部（８ａ）、（図９）であって、スナップ（Ｓａ・Ｓｂ）部を有する線材体に枝ハリス止め体（７）で止め得るリング穴部（Ｈ）を設け、前記リング穴部には道糸が貫通可能な間隙（Ｓ）を設けた、ことを特徴とする枝ハリスの着脱自在具（８ａ−４・８ａ−５・８ａ−６・図 ９）であって、    
図９は枝ハリス（８）の着脱自在具（８ａ）の枝ハリス止め穴（Ｈ）をストッパー付スナップサルカンのスナップ線材部（８１−２）の線材を内側に１回転させて設けた物で（図９イ、ロ）、図９（イ）は（ロ）に記載の枝ハリス着脱自在具（８ａ−４）の装着手順を記載した物で、（ａ）はスナップ部を閉じている図、（ｂ）はスナップ部を開いて道糸の一方（１０−１）と道糸の他方（１０−２）の中間部をスナップの開口部よりスナップの内部に通した図、（ｃ）は線材をスナップの内側に１回転させて設けた枝ハリス止め穴（Ｈ）部分の下端部（図面で見て）迄開口部に続く線材に沿って押し込んだ図、（ｄ）は（ｃ）で押し込んだ道糸の一方（１０−１）を下方に（図面で見て）引き（ｅ）で下方に（図面で見て）引いた道糸の一方（１０−１）を開口部よりスナップの外部に出し、（ｆ）で道糸の一方（１０−１）と道糸の他方（１０−２）をスナップの開口部を閉じ直線に成るようにすると、（ａ）の向きと逆方向に反転して枝ハリス止め穴（Ｈ）に道糸（１０）が入り、竿の先端方向の海面部から枝ハリス止め体（７）、の間をスライド出来る様になる（図 ９ロの状態）。
道糸から前記枝ハリス着脱自在具（８ａ−４）を取り外すのは前述手順の逆にすれば良い。
図９（ハ）は図９（イ）又は（ロ）に記載の、線材をスナップの内側に１回転させて設けた枝ハリス止め穴（Ｈ）部分を、スナップの外側に１回転させて設けた物で、｛枝ハリス着脱自在具（８ａ−５）｝着脱手順は前段落に記載の要領に順じているので、記載を省略する。
【００３４】
枝ハリス（８）の着脱自在具部（８ａ−６）であって、スナップ（Ｓｂ−５）部を有する線材体に枝ハリス止め体（７）で止め得るリング穴部（Ｈ）を設け、前記リング穴部には道糸が貫通可能な間隙（Ｓ）を設け、前記線材体の外側に、スナップ（Ｓｂ−５）部を受ける受け穴（Ｓａ−５）部を有する略楕円筒（８ａ−６１）を設け、前記線材体に設けた枝ハリス止め穴（Ｈ）の線材下部を前記略楕円筒の上下動の上端ストッパーとし、下端ストッパー（８ａ−６２）をスナップ（Ｓｂ−５）部を有する線材体に設けた物で、
図８（ホ−１）は略楕円筒（８ａ−６１）のスナップ（Ｓｂ−５）部を受ける受け穴（Ｓａ−５）部が、スナップ（Ｓｂ−５）部に嵌まった状態図で、前記下端ストッパー（８ａ−６２）の凸部を両側から内側に押えて略楕円筒（８ａ−６１）を下方向に動かすと、スナップ受け穴（Ｓａ−５）部からスナップ（Ｓｂ−５）部が外れ、略楕円筒（８ａ−６１）上端部と線材端部との間に出来た道糸（１０）が入り得る開口部から道糸（１０）を入れ、その道糸（１０）を線材体に設けた貫通可能な間隙（Ｓ）から枝ハリス止め穴（Ｈ）に挿入し（ホ−２）、略楕円筒（８ａ−６１）を上端ストッパー｛枝ハリス止め穴（Ｈ）を構成する線材下部｝迄上げるとスナップ（Ｓｂ−５）部とスナップ部受け穴（Ｓａ−５）部が嵌まりロック状態となる（ホ−３）。
【００３５】
図６の枝ハリス（８）の着脱自在具部（８ａ−１２）は、スナップ（Ｓａ−６．Ｓｂ−６）部を有する線材体と、円周外壁部に凹部を有し、かつ、端面に凹凸部（Ｍ−２）を有する略円板の中駒（８ａ−ｐ）を設け、前記線材体は、中駒（８ａ−ｐ）に設けた円周外壁部の凹部に嵌入して中駒を回動自在に保持し、前記略円盤形状の中駒には中心部貫通穴（Ｈ）を有し、略円盤体側面より上記貫通穴に接続するスリット（ｗ・割れ目）を有し、上記スリットには略Ｖ字状の案内部を有し、案内部奥に道糸が貫通可能な間隙（Ｓ）を形成した、ことを特徴とする枝ハリス着脱自在具（８ａ−１２）であって、
スナップ（Ｓｂ−６）部を内側に押えてスナップ（Ｓｂ−６）部を開口し端面に凹凸部（Ｍ−２）を有する略円盤の中駒（８ａ−ｐ）のスリット（ｗ・割れ目）部が真下の線材体くびれ部に位置する様に中駒を回動させ、道糸（１０）を前記スナップ（Ｓｂ−６）部の開口部から内側に入れ、更にスリット案内部奥の間隙（Ｓ）から中心部貫通穴（Ｈ）に挿入し、中駒を回動させ｛端面に凹凸部（Ｍ−２）を有している｝（図６・ロ）スナップ（Ｓａ−６．Ｓｂ−６）部を係合閉止し、線材体の弾性力で中駒の回動をロックする（図６・イ）構造である。
【００３６】
図３の枝ハリス（８）の着脱自在具部（８ａ−１３）は弾性性状を有する樹脂を主材とする着脱自在部（８ａ）は物で、無数に考えられるがその１例であって、弾性性状を有する円板体の概略中心部に道糸が挿通可能で、かつ、枝ハリス止め体（７）で止め得る穴（Ｈ）を設け、一方の円板体側面より前記挿通可能な穴（Ｈ）迄の切断線を設け切断し、前記切断線を基準とし右若しくは左に少なくとも９０°（最大で１８０°）に切り割り、他方の円板体側面に一部をヒンジ部として切り割らずに残した切り割り片を設け、前記切り割り片と切り割り片の残片とを繋げて設け、前記一方の円板体（切り割り片の残片）側面に弾性の凸（Ｒｋ−１）を、他方の円板体（切り割り片）側面に弾性の凸を／弾性の凹もしくは弾性の凸／貫通穴（Ｒｋ−２）を組み合わせロック機構として設けた（図３・イ・ロ・ハ）、弾性性状を有する樹脂を主材とした物で、更に前記着脱自在具部（８ａ−１３）の竿先端部（９）側にスナップサルカンから係止具に至る枝ハリス（８ａｂ）を別体で後続して設け、
前記８ａ−１３の前記挿通可能な穴（Ｈ）に道糸を嵌め込みロック機構｛（Ｒｋ−１・Ｒｋ−２ａ・Ｒｋ−２ｂ）と（Ｒｋ−２・Ｒｋ−１ａ・Ｒｋ−１ｂ）｝でロックし、更にストッパー付スナップサルカン｛８ａ−１３が通り抜けないもの、（８１）｝から係止具（８ｃ）に至る枝ハリス部（８ａｂ）を、竿を倒して、ストッパー付スナップサルカンのスナップ部の開閉により｛図３（ホ）の状態に｝装着する。
図３へ、は弾性性状を有する樹脂を主材とする着脱自在具部（８ａ）の樹脂に軟体金属体（アルミニューム・真鋳・ステンレス及びそれらの撚り線等）をインサート成形しスナップサルカンから係止具に至る枝ハリス（８）を一体化したイメージ図、図３トは弾性の凸を／弾性の凹もしくは弾性の凸／貫通穴（Ｒｋ−２）を組み合わせたロック機構のイメージ図
【００３７】
８ｂ−１は枝ハリス（８）の着脱自在具部（８ａ−１〜８ａ−１３）と、枝ハリスの先端部の係止具（８ｃ）間を連結するハリス（図９、イ）であつて、ハリスとして使用されている物には、
１． ナイロン・特性として伸び率２０％〜４５％あり、フック（釣り針）やサルカンとの結束部の結束方法によっては大型魚が掛かり引き込む力で伸びて結束部が抜けるので使い慣れない人には推奨出来ない物。
２． フロロカーボン・最近の釣りでのハリスとしては一番普及しているもので、結束部強度ではＰＥ（ポリエチレン  ダイニーマ）に次ぐ強度を持ち更に水中での屈折率１．４２と、水の屈折率１．３３と近く水中では見えにくい素材である。
（この仕掛けではフロロカーボンの１２号を使用している。）
３． ＰＥ（ポリエチレン  ダイニーマ）・現在市販されているラインとしては最強度の物であり、伸び率１．０４で、釣りに持たらすメリットは、感度（当たり等微妙な変化を伝え易い特性を持っている）の良さである、反面弱点としては、耐熱性で、耐熱温度が１４５℃と低く、低い摩擦熱で切れてしまうこと及びラインがしなやかで、絡みやすく、又一度絡むと解き難い事である、この釣法及び仕掛けでは、泳がせている餌の魚の勝手な動きて、浮き釣りでも、この釣法（以後ブッ込み釣りと記する）でも、絡みやすく、特にブッ込み釣りでは、道糸や浮き等に絡み、枝ハリス長さが短くなると餌の魚が弱り死ぬとか烏賊等に食われ易くなり、生餌として役に立たなくなるので、ハリス（８ｂ−１）全部をＰＥとするのは推奨し難い。
４． 以上１〜３を組み合わせたハリスも市販されているが、試釣するに至っていないので、ブッ込み釣りへの使用は本願発明ではコメントできない。
【００３８】
第五の発明は上記枝ハリスの先端部の係止具（８ｃ）の連結方法であって、前記係止具（８ｃ）を枝ハリスの先端部に２個設け、２個の内１個（８ｃ−２）を遊動する様にして設け、前記設けた係止具（８ｃ）の針先の方向を向い合わせにして（８ｃ−１・８ｃ−２で、いずれもダブルフックもしくはトリプルフック）設け、かつ、前記遊動として設けた係止具（８ｃ−２）の遊動範囲部分を、弾性材料（エラストマー）又は可塑性材料のパイプを通して覆うか、可塑性樹脂コーティングをして設け（８ｃ−１ｐ）、かつ、前記２個設けた係止具（８ｃ）間に、大型魚の暴れる力で破断しないストッパー（８ｂ−２ａ）で前記パイプの移動を固定するストッパー（８ｂ−２ｂ）を設けたことを特徴とする枝ハリスの先端部の係止具（８ｃ）との連結方法であって
図９の（ハ）・（チ）・（リ）は２個の係止具（８ｃ）をハリス（８ｂ−１）に直列に結束した、結束方法で（ホ）・（へ）は１個の係止具（８ｃ）をハリス（８ｂ−１）に結束した、結束方法で（ロ）・（ト）は２個の係止具（８ｃ）をハリス（８ｂ−１）に並列（二股吊り・又は提灯吊り）に結束した、結束方法でいずれの方法も幅広く使用されている係止具（８ｃ）、（シングルフック・ダブルフック・トリプルフックのいずれでも）の結束方法であるが、浮き釣りには多少の長所・短所はあっても釣果には大差はないと聞き及んでいる。
しかしこの釣り（ぶっ込み釣り）では図１１に記載の様に生餌（８ｄ）は生きの良い時は道糸を「くの字」に曲げながら抵抗のある方向に泳いでいる時が約半分程度あり、この時はハリス｛（８ｂ−１）・このぶっ込み釣りではフロロカーボンの１２号を使用している｝もピーンと張った状態で図９の（ハ）（ホ）・（へ）・（チ）・（リ）の結束方法では頭から餌を食いついた時は掛る確率は高いが、（ロ）・（ト）の結束方法では頭からでもしっぽからでも食いつく寸前に前記ピーンと張った状態のフロロカーボン１２号ハリスに当たり、食いつかないケース（竿先をガーンと曲げる当たりが１回だけあるケース）があり、その経験から（イ）の結束方法を発明するに至った。
ブリの試釣の過程で試釣者及びアシストしてくれた人が、ぶっ込み釣りで釣り上げたすべての魚をアギと内蔵との接続部を切ってシメているので、胃袋の中に入っている魚の状態が自然に判ってきた。
すなわち、ぶっ込み釣りで釣り上げられる以前に胃袋の中に入っているのは、尻尾が奥で頭が手前で、魚が餌を追っかけて尻尾から飲み込んだか、もしくはいろんな角度から一撃して鳥が魚を飲み込む様に、銜えなおして尻尾から飲み込んだかは判らないが胃袋の中から出る時に尻尾から出たのは見ていない。
しかし浮き釣りのベテランの人は、口をそろえて魚は頭から食うといっている。
試釣者は初期の釣りでは（ホ）・（へ）から（ハ）・（チ）・（リ）の結束方法であつたが、当たりらしきものは数回あつたがフッキィングしたのは数回の当たりの１／３程度であった。その後（ロ）・（ト）の結束方法に替えフッキィング率が上がり更に（イ）の結束方法（８ｃ−２を遊動にすることで、ハリスがピーンと張れば張るほど、頭からでも尻尾からでも掛りやすい形）、すなわち針先の方向を向い合わせにしたことで、フッキィング率が更に上がつた。
【００３９】
図１０の（イ）は管を持たないシングルフックの大物対応ノット「南方延縄
結び」で
（ａ）ハリスでハリ側に輪を作りハリの軸を挟む。輪は外掛け結びより大きくとる。
（ｂ）ハリス先端部で、本線と針軸を一緒に針の耳方向へ４回巻き付ける。
（ｃ）ハリス先端を輪の中へ入れ、輪を１回ひねる。
（ｄ）ひねった輪でハリス先端部と針を一緒に潜らせる。これを４回続ける。
（ｅ）まず、本線をゆっくり引き全体を締める。次にハリス先端部を引き、形を整えながら更に締める。ハリスが針の内側から出るように整え、もう一度両方を引き締め、余分をカットして完成。
図１０の（ロ）は、管を有するフックの大物対応ノット「カン付き南方延縄結び」で
（ａ）ハリスでハリ側に大きめの輪を作りハリの軸を挟む。
（ｂ）ハリス先端をハリ先方向へ曲げ、輪のなかを通す。
（ｃ）ハリス先端をハリ先方向へ曲げ、輪を１回ひねる。
（ｄ）ひねった輪で、ハリス先端部と針を一緒に潜らせる。これを４回続ける。
（ｂ）まず、本線をゆっくり引き全体を締める。次にハリス先端部を引き、形を整えながら更に締め、余分をカット
（ｅ）ハリスを必要な長さでカット。
（ｆ）結び目を回転させて、ハリスがハリ先の反対側に来るように整える。ハリス先端をカンにくぐらせ、ゆっくり引き締めて完成。
【００４０】
第六の発明は上記枝ハリス（８）の着脱自在具部（８ａ）から、枝ハリスの先端部の係止具（８ｃ）間を連結するハリス（８ｂ−１）の両端結束部で、前記両端結束部のハリス（８ｂ−１）に弾性材料（エラストマー）又は可塑性材料系のパイプで覆うか、可塑性樹脂コーティングをして設けた（８ｂ−１ａ）物で、一方の着脱自在具（８ａ）の輪部及び他方の係止具（８ｃ）の管部を結束する結束部の輪（８ｂ−１ａ）を、前記一方の着脱自在具（８ａ）の輪部及び係止具（８ｃ）の管部に潜らせ、前記一方の着脱自在具（８ａ）及び他方の係止具（８ｃ）を、前記結束部の輪（８ｂ−１ａ）に潜らせ結束する物で、
前記輪の装着要領は、図９、８ｃ−１・イから８ｃ−１・ホで、８ｃ−１・イで、管部へ８ｂ−１ａを潜らせ、８ｃ−１・ロで８ｂ−１ａを引出し、８ｃ−１・ハで、ロ、で引出した輪を、前記一方の着脱自在具（８ａ）及び係止具（８ｃ）を潜らせ、８ｃ−１・ホ、の様に成るまで、締め方向に引っ張り装着完了（８ｃ−１・ホ）となる。
魚が掛かり糸切れとなる部分の殆ど（７０％以上）が、枝ハリス（８ｂ−１）の両端結束部で、大型魚用シングルフック及び管部を持つフックの代表的な結び方（図１０）を記載しているが、図で見ると簡単そうであるが、此の結び方をマスターするには少し熟練が必要となり、前記両端結束部のハリス（８ｂ−１）を、パイプで覆ってからの試釣では、両端結束部の糸切れは一度もないので、好ましくはこの段落記載の技術を使用すべきである。
【００４１】
図９、（イ）の結束方法で試釣を続ける約１か月の間に魚が太ったせいか、前記８ｃ−２を遊動にした部分の糸切れを数回経験し、図９（ヌ）の遊動部に弾性材料（エラストマー）又は可塑性材料のパイプを通して（この仕掛けでは内径０．６ｍｍのパイプを使用）パイプ両端をストッパー（この仕掛けでは直径４ｍｍのパール色のビーズ使用）を固着してもうけた、枝ハリスの先端部の係止具結束技術を発明した。
前述の先端部の係止具結束技術を使用してからは頭から食ったのと尻尾から食ったのとは、ほぼ半々である。
この仕掛けでは市販品のＮＯ３のトリプルフック（８Ｃ−１）線径１．０ｍｍのブラウン係色を使用しているが、３本のフックの内１本のみにフッキィングした時、フックは伸びて逃がしてしまう、「８Ｃ−１」はＮＯ３のトリプルフックの大きさで線径１．０〜１．２ｍｍのブラウン係色で更にフックの伸び方向の剛性ＵＰの平打ちをしたものが好ましい、
この仕掛けの「８Ｃ−２」は市販品のＮＯ２のトリプルフックに補助具を使ってフック部と管部間の長さを長くしているが、これも前記ＮＯ３のトリプルフック（８Ｃ−１）同様の大きさの線径１．０〜１．２ｍｍのブラウン係色で、更にフックの伸び方向の剛性ＵＰの平打ちをし、フック部と管部の長さを１．５倍近く長くするのが、好ましい遊動トリプルフックの形である。
【００４２】
第７図は道糸（１０）に着脱自在部を有する  枝ハリス（８）の着脱自在具（８ａ）に接続する略楕円形の錘（８ｅ）であって、この略楕円形の錘（８ｅ・１〜５号）はなくてもつれることは釣れるが、生き餌を付け海中に投入した時、餌の魚によっては真っ直ぐに深い方向に潜ってくれる者もおるが、大半は図１１に記載の様に生餌（８ｄ）は、生きの良い時は道糸を「くの字」に曲げながら抵抗のある方向（岸方向あるいは左右方向に）に泳いで海面で、もがいている、この状態のままにしておくと、魚は弱るし、鳥とかに食べられてしまう、しかし道糸を「くの字」に曲げながら抵抗のある方向に力強く泳ぐ時間は数分間隔で泳ぎ疲れ少し力が弱った時、前記「くの字」に曲げた、曲りの角度が小さく成り、その時この錘を付けていると枝ハリス（８）の着脱自在具部（８ａ）が深い方向に少しずつスライドし、この錘に接続している絡み止め（８ｆ）が見えなくなり次第に、水面より棚に近い深さに餌を入れる効果があるので、好ましくはこの錘（８ｅ）をつけるのが良い、
前記軸線方向の貫通穴を設けた錘に、かつ、貫通穴の両端入り口部入り口方向を大径とするテーパー部（ＴＰＨ）を設けたことを特徴とする、枝ハリス（８）の着脱自在具部（８ａ）に接続する略楕円形の錘（８ｅ−１ａ）にしたことであつて、
図７に記載のように錘両端部の（ＴＰＨ−２）の効果は錘の両端入り口部は鋳込み製造でのシャープなエッジが残っている場合が多々あり、一方の入り口部はハリス（８ｂ−１）・（８ｂ−１ａ）の端部及び結束部をテーパー部で収納・固着して保護し、他方の入り口は絡み止め（８ｆ）を挿入固着しハリス（８ｂ−１ａ）を保護して、糸切れと絡み対策になるので更に好ましいのはこの錘（８ｅ−１ａ）をつけるのが非常に良い。
【００４３】
道糸（１０）であるが（段落番号００３７）のハリスに記載しているものが、使用可能なものである、
他の人の仕掛けと絡む心配のない場所ではＰＥを使用しても問題ないが、試釣の間に
近くで、ＰＥ１号で釣り上げた人が１人居た。
しかし少なくて６ｍ間隔でつりをしている場所では、誰かの竿に魚が掛かった場合、掛かった魚は速いスピードで逃げ回るので、必ず数人の人の仕掛けに絡まる（段落番号００４７記載の理由で）のでＰＥはこの釣りの道糸（１０）に使用するのは推薦しがたい。
このぶっ込み釣りの道糸（１０）に使用しているのは、ナイロン１０号（色はオレンジ）でナイロンの伸びる特性が掛かった魚の強烈な引き込みのショックアブソバーになっているが、１本釣り上げる度に伸びた部分を切って捨てる事が欠点であるが、１日１本釣れれば大漁の部類に入るので、早く次の２本目をゲットしたい人は、道糸を巻いた予備のスプールもしくはリールを使い、枝ハリス（８）の予備を使えば簡単に釣りが再開できる。
この仕掛けでは道糸（１０）にナイロン１０号（色はオレンジ）を使用しているが、大物釣りの初心者向けには、取り込み時に失敗が少ないナイロン１２号を使用するのが好ましい。
【００４４】
竿（１１）は２０〜３０ｍ以上投げられる物ならグラスロッドでもカーボンロットでも良く限定はしないが、護岸部での取り込みを考え、かつ、生餌の弱り難さを考慮すると、長さは４ｍ〜６ｍは欲しい、更に竿先部は５０号の錘の遠投に耐える物で、生餌の引く力で穂先が２０〜５０ｃｍ程度たわむ先調子のものが好ましい。
【符号の説明】
【００４５】
１，      錘。
３，      しもり（浮きを挟んで錘側）。
４，    浮き。
５、しもり（浮きを挟んで浮き止め側）。
６、浮き止め（６ａ、  浮き止めでフットボール状の弾性体、６ｂ、  ６ａの弾性体を貫通している線体の輪部、６ｃ．撚ってある糸体の浮き止め、６ｄ  輪ゴム状の弾性体の浮き止め）。
７、枝ハリス止め体（７ｃ．撚ってある糸体の枝ハリス止め体、７ｄ．輪ゴム状の弾性体の枝ハリス止め体）。
８、枝ハリス体全体。
８１、スナップサルカン（よりフックに至る枝ハリス体全体を表している場合もある）。      
８１−２、  ８ａ−４のスナップサルカンのスナップ線材体。
８１−３、  ８ａ−５のスナップサルカンのスナップ線材体。
８ａ、  枝ハリス着脱自在具。
８ａｂ、玉体とは別体のスナップ部を有する着脱自在部
８ａC、スナップサルカンから係止具に至る枝ハリス体
８ａ−１。枝ハリス止め体で、止まる穴を有する着脱自在具（８a）の略球形状の玉体と、スナップ部を有する枝ハリス着脱自在部を別体で構成している枝ハリス着脱自在具で、玉体にスリット・Ｖ字案内部・道糸を貫通さす間隙・側面の平坦面・弾性部を設けた構成のもの。
８ａ−２．８ａ−２のスリットを、枝ハリス止め体で、止まる穴の側方に設けた枝ハリス止め玉体と枝ハリス着脱自在部を別体で構成している枝ハリス着脱自在具
８ａ−３、８ａ−１での、枝ハリス止め具の玉体の弾性部と両側に略平坦部と弾性部を設けていない物で、スリット（割れ目）を玉体貫通側部に設け弾性部とした物で、枝ハリス着脱自在部を別体で構成している枝ハリス着脱自在具。
８ａ−４、線材体部内側に線材体で枝ハリス止め体を止め得る穴を構成した枝ハリス着脱自在具。            
８ａ−５、線材体部外側に線材体で枝ハリス止め体で止め得る穴を構成した枝ハリス着脱自在具。        
８ａ−６、線材体と略楕円筒で構成した枝ハリス着脱自在具。
８ａ−７、枝ハリス止め具の玉体の８ａ−１〜８ａ−３と線材体を主材とする部材を一体にした枝ハリス着脱自在具。
８ａ−８、８ａ−７で球形状の外面に凹部を設けた枝ハリス着脱自在具。
８ａ−９、スナップ部、スナップ受け部を有する線材体で構成した枝ハリス着脱自在具。            
８ａ−１０、８ａ−８のスナップ部、スナップ受け部を線材体で構成した枝ハリス着脱自在具。        
８ａ−１０ａ、８ａ−１０の球形状を立方体で構成した枝ハリス着脱自在具。
８ａ−１１、８ａ−７のスナップ部、スナップ受け部を線材体で構成した枝ハリス着脱自在具。        
８ａ−１２、枝ハリス止め体で、止まる穴を有する枝ハリス止め具の中駒体と・スナップ部、スナップ受け部を有する線材体で構成した枝ハリス着脱自在具。
８ａ−１３、枝ハリス着脱自在部で弾性性状を有する樹脂を主剤として成形された物の１例      
８ａ−６１、枝ハリス着脱自在具８ａ−６の略楕円筒
８ａ−６２、枝ハリス着脱自在具８ａ−６の略楕円筒の下端ストッパーの、線材体の凸部。        
８ａ−ｐ、  ８ａ−１２の略円板形状の中駒体。
８ｂ、      枝ハリス部のハリス。
８ｂ−１、  より戻し部から係止具の間を接続するハリス。
８ｂ−１ａ、８ｂ−１を可塑性パイプなどで強度ｕｐした物。
８ｂ−２、  ８ｃ−１側のストッパー。
８ｂ−２ａ、８ｃ−１，８ｃ−２間のパイプ８ｃ−１ｐの移動を固定する前記パイプ両端のストッパーの一方。
８ｂ−２ｂ、８ｃ−１，８ｃ−２間のパイプ８ｃ−１ｐの移動を固定する前記パイプ両端のストッパーの他方。
８ｃ      （８ｃ−１、トリプルフック固定側，８ｃ−２、  トリプルフック遊動側。
８ｃ−３  二股吊りのトリプルフック，８ｃ−４  シングルフツク
８ｃ−５、  ダブルフツク）。
８ｄ、      生き餌。
８ｅ、      枝ハリス着脱自在具に接続してつけている錘。
８ｆ、      絡み止めパイプ。
１１、      投げ竿
１１ａ      竿本体。
１１ｂ，    リール（スピニングリール）。
８１、    ストッパー付スナップサルカン（８１−２，８１−３，８１−５，８１−６）。
Ｄ、      枝ハリス着脱自在部に設けた弾性部。
Ｈ、      枝ハリス止め体で止まり得る穴。
Ｊ−１、  ８ａ−１３の樹脂の板体の切り割リ片
Ｊ−１ａ  Ｊ−１に軟体金属をインサートした物。
Ｊ−２、  Ｊ−１の残りの残片。
Ｊ−２ａ  Ｊ−２に軟体金属をインサートした。
Ｌ、      Ｊ−１，Ｊ−２の接続ヒンジ部。
Ｐ、      弾性パイプ。
Ｐ１、    可塑性樹脂パイプ。
Ｐ−２、  ストッパー（２）接続部の道糸に通しているパイプ。
Ｒｋ−１、Ｊ−２円板体円周外壁面部に設けた弾性（ロック機構）の凸。
Ｒｋ−１ｂ、Ｒｋ−１  別タイプのイメージ体。
Ｒｋ−２、Ｊ−２円板体円周外壁面部に設けた弾性（ロック機構）の凸・凹・貫通穴。
Ｒｋ−２ａ、Ｒｋ−１  別タイプのイメージ体。
Ｒｋ−２ｂ、Ｒｋ−１  別タイプのイメージ体。
Ｓ、      道糸が貫通可能な間隙。
Ｓａ、    スナップ受け部（側の線材体）。
Ｓａ−２、８ｂ−１０の  スナップ受け部。
Ｓａ−３、８ｂ−１１の  スナップ受け部。
Ｓａ−４、８ｂ−４，８ｂ−５，８ｂ−７，８ｂ−８の  スナップ受け部。
Ｓａ−５、８ｂ−６のスナップ受け部。
Ｓａ−６、８ｂ−１２のスナップ受け部。
Ｓｂ、    スナップ部（側の線材体）。
Ｓｂ−２、８ａ−１０の  スナップ部。
Ｓｂ−３、８ａ−１１の  スナップ部。
Ｓｂ−４、８ａ−４，８ａ−５，８ａ−７，８ａ−８の  スナップ部。
Ｓｂ−５、８ａ−６のスナップ部。
Ｓｂ−６、８ａ−１２のスナップ部。
Ｔ、      略球状形状の枝ハリス着脱自在部の玉体の割れ目入り口のリップ部。
ＴＰＨ、  枝ハリス着脱自在部の道糸が通る穴の入り口部に設けた入り口側を大径とするテーパー穴。
ＴＰＨ−２、枝ハリス着脱自在部のより戻し部に接続している錘に設けた、入り口側を大径とするテーパー穴。
Ｗ  、    スリット（割れ目）。
Ｙ  、    より戻し部（を有する物Ｙで表現している物もあり）。
Ｚ、      略球状形状の枝ハリス着脱自在部の玉体。
【図１】
2013176352.tif 000003
【図２】
2013176352.tif 000004
【図３】
2013176352.tif 000005
【図４】
2013176352.tif 000006
【図５】
2013176352.tif 000007
【図６】
2013176352.tif 000008
【図７】
2013176352.tif 000009
【図８】
2013176352.tif 000010
【図９】
2013176352.tif 000011
【図１０】
2013176352.tif 000012
【図１１】
2013176352.tif 000013
【手続補正書】
【提出日】平成25年3月8日(2013.3.8)
【手続補正１】
【補正対象書類名】明細書
【補正対象項目名】全文
【補正方法】変更
【補正の内容】
【発明の詳細な説明】
【技術分野】
【０００１】
すずき（はね）ぶり（はまち、）さわら、かんぱち，ひらめ、しまあじ、等の沿岸回遊大型中型魚の、釣り具に、関する技術である。
【背景技術】
【０００２】
針に餌となる小魚（いわし・さば・あじ・このしろ等々）を鼻掛け・背掛けで付けて、２〜7ｍ上に浮きを付け海中に投入し、後は魚が勝手に動く、釣り人は他人の仕掛けともつれるのを監視すると言う釣り方が一般的なものである。
【先行技術文献】
【特許文献】
【０００３】
【特許文献１】特開２０００−１５７１２４
【特許文献２】実登３０９４５０１
【特許文献３】実開昭５７−１６７６７７
【特許文献４】実登３１３６０４５
【特許文献５】実開平３−２７９７２
【０００４】
すずき（はね）ぶり（はまち、）さわら、かんぱち，ひらめ、しまあじ、等の、沿岸回遊大型魚の、泳がせ釣法に、関する先行技術文献は見つける事は出来なかったが、道糸に、着脱自在に出来る糸用係着部の構造に関する技術（例えば特許文献１）がある。
スナップサルカンで現在では一般的に販売されている物でスナップ底部の略Ｕ字形の部分をチュウブで被った技術（例えば特許文献２）がある。
ラセン式簡易中通し浮きで、道糸の途中から着脱自在にした技術（例えば特許文献３）がある。
ルァー用フックのアイにスナップの開閉側と反対側のリングを通した技術（例えば特許文献４）がある
浮子本体に糸部の太さより大きい挿通穴を有する係止部を形成し、糸部への着脱を自在にした技術（例えば特許文献５）がある
【発明の概要】
【発明が解決しようとする課題】
【０００５】
鼻掛け・背掛けした餌を付けて、２〜７ｍ上に浮きを付け海中に投入し、後は魚が勝手に動くので、釣り人は他人の仕掛けと自分の１〜３本投入している、仕掛けどうしがもつれるのを監視すると言う釣り方が一般的なものであるが、海面には殆どの場合潮流・風等がありこれらを受けて餌の小魚は広範囲に動き回るので、釣り人一人が、１本の仕掛けを使用した場合、占有する釣り場所は、岸壁の長さで竿１本に付き少なくとも１０ｍは必要となる。
この泳がせ釣りで、例えば３００ｍある岸壁で、釣り人一人が、２本の竿を使用した場合、最大で１５人しか釣ることが出来ず、釣るためには場所の確保が一番で、場所取りのため、日の出より１〜２時間早く行かなければならない、これを釣り人一人が、１本の竿を使用した場合、占有する釣り場所は最少で１本に付き６ｍ程度にすることが出来るので、同じ場所で釣りを楽しめる人数は最大で２５人となる、この釣法を可能にする、仕掛け及び用具を構成する部品を提供する事が課題である。
もちろん浮き釣りと同等かそれ以上の釣果が得られる（１か月とかの平均値で）ことも
必須課題である。
【課題を解決するための手段】
【０００６】
第一の発明は仕掛けを投げ竿で投入した道糸に取り付ける枝ハリスの枝ハリス着脱自在具であり、前記枝ハリスは枝ハリス着脱自在具と、より戻しと、ハリスと、上記枝ハリスの先端部に取り付けた係止具をもつて、主構成としており、
上記枝ハリスの着脱自在具（８ａ）が、スナップ部（Ｓａ・Ｓｂ）を有する線材体に枝ハリス止め体（７）で止め得るリング穴部（Ｈ）を設け、上記リング穴部には道糸を挿入出来る間隙（Ｓ）を設けたものであることを特徴とする枝ハリスの着脱自在具（８ａ−４・８ａ−５・８ａ−６・８ａ−９）を提供する。
【０００７】
道糸の先端に潮流と、餌となる小魚の力で簡単に動かない錘を付け（１）、竿先に向かって順に、魚が掛かった時抜け落ちないストッパーになる物を付け（２）、しもり（３）、浮き（４）、しもり（５）、浮き止め（６）、枝ハリス止め体（７）、｛前記（６）と（７）の間隔は、少なくとも枝ハリスの長さの１．１倍は必要、｝竿の先端ガイド（９）に至る仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８Ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、魚信を待つ釣法にし、上記釣法に使用する釣り具を発明して解決した。
【発明の効果】
【０００８】
発明が解決しようとする課題の、釣り人一人が１本の仕掛けを使用した場合、占有する釣り場所は最少で１本に付き少なくても６ｍ程度にすることが出来た（船釣りの場合も同様に占有海面を少なくとも4割程度にすることが出来た）。
【０００９】
釣り人が他人の仕掛けと自分の１〜２本投入している、仕掛けどうしがもつれるのを監視する回数（及び時間）が少なくて済むように成った。
【００１０】
試釣の結果では、浮き釣りと本願発明の釣法とでは、後者の方が優位であった。
【００１１】
餌の小魚の深さ及び前後方向の移動範囲が広く（浮き釣りに対して深さ方向の移動範囲が特に広く、設定次第では海底からの海面迄の深さ１５ｍ程度であれば、海底付近から水面近くまで生き餌が動き回ることが可能と）成った。
【図面の簡単な説明】
【００１２】
【図１】（イ）この仕掛けを投入し、道糸を張って魚信を待つ釣法の概略全体図である。        （ロ）枝ハリス部を付けない状態で海中に投入した図。        （ハ）竿を道糸に手が届く位置に（倒）し、（８）の枝ハリスと生き餌（８ｄ）を取りつけた図。        （ホ）すべてをセットして魚信を待つ状態図。
【図２】（イ）枝ハリス着脱部と枝ハリス止め具の分離型８ａ−１タイプ図。        （ロ）同上枝ハリス着脱部のＡ−Ａ・Ｂ−Ｂ断面図。        （ハ）枝ハリス着脱部と枝ハリス止め具の分離型８ａ−２（８ａ−３）タイプ図。                    （ホ−１）同上枝ハリス着脱部の道糸が貫通可能な間隙（Ｓ）に弾性部（Ｄ）を持つタイプのＣ−Ｃ・Ｄ−Ｄ断面図。          （ホ−２）同上枝ハリス着脱部の道糸が貫通可能な間隙（Ｓ）に弾性部（Ｄ）を持たないタイプのＣ−Ｃ・Ｅ−Ｅ断面図。
【図３】（イ）枝ハリス着脱部の略円板状の弾性性状を有する樹脂製で円周外面にヒンジ部と弾性ロック部を持つタイプの開口状態図。        （ロ）同上弾性ロック部噛み合う直前図。        （ハ）同上弾性ロック部がロックした図        （ホ）（ハ）図と枝ハリス着脱部のスナップサルカンを道糸にセットした図。        （ヘ）別Ａタイプの例図。弾性性状を有する樹脂を主材とする着脱自在具部（８ａ）の樹脂に軟体金属（アルミニューム・真鋳・ステンレス）をインサート成形しスナップサルカンから係止具に至る枝ハリス（８）を一体化したイメージ図、      （ト）別Ｂタイプの弾性ロック部の例図。弾性の凸を／弾性の凹もしくは弾性の凸／貫通穴（Ｒｋ−２）を組み合わせた、ロック機構のＫ−Ｋ断面イメージ図
【図４】（イ）枝ハリス着脱部と、玉体とは別体のスナップ部を有する着脱自在部の一体型８ａ−７のタイプ図。        （ロ）枝ハリス着脱部と玉体とは別体のスナップ部を有する着脱自在部の一体型８ａ−８のタイプ図。        （ハ）８ａ−８のタイプのＦ−Ｆ断面図。
【図５】（イ）枝ハリス着脱部のスナップ部を線材で構成した８ａ−９のタイプ図。        （ロ）枝ハリス着脱部のスナップ部を線材で構成した８ａ−１０のタイプ図。                                                            （ハ）枝ハリス着脱部のスナップ部を線材で構成した８ａ−１１のタイプ図。
【図６】（イ）枝ハリス着脱部と枝ハリス止め具の一体型で中ゴマを持つ８ａ−１２のタイプ図。              （ロ）同上枝ハリス着脱具を道糸に着脱出来る状態図。        （ハ）中ゴマを、道糸を着脱出来る位置に回した枝ハリス止め具部分の拡大図。                      （ホ）同上枝ハリス着脱部Ｇ−Ｇ断面図。
【図７】枝ハリス着脱部に接続している錘の、両端部内径入り口側を大径としたテーパーを設けた（８ｅ−１）錘。の部分断面図
【図８】（イ）枝ハリス着脱部を線材で構成した８ａ−４の装着手順図。        （ロ）枝ハリス着脱部を線材で構成した枝ハリス部８ａ−４タイプ図。        （ハ）枝ハリス着脱部を線材で構成した枝ハリス部８ａ−５タイプ図。        （ホ−１）枝ハリス着脱部を線材で構成した８ａ−６のタイプ部分断面図。（ホ−１〜３）枝ハリス着脱部を線材で構成した８ａ−６タイプの装着手順図。
【図９】（イ）枝ハリス全体の１例図で、トリプルフック２個を針先部が向い合せにセットし、８ｃ−２を遊動にした仕掛け図｛この場合枝ハリス着脱部は８ａ−１〜８ａ−１３の何れかとの組み合わせで８ｅ・８ｆ・Ｙは取り付けられ、ハリス８ｂ−１で連結されている、（ロ）〜（ヌ）迄は同じで、記載は省略している｝。        （ロ）枝ハリス全体図の針部のトリプルフック2個の前後を針先部が向い合せにセットした、二股吊り仕掛け図。        （ハ）枝ハリス全体図の針部をトリプルフックとシングルフックを直列にセットした仕掛け図。        （ホ）枝ハリス全体図の針部のトリプルフック１個を取り付けた仕掛け図。          （ヘ）枝ハリス全体図の針部のシングルフック１個を取り付けた仕掛け図。        （ト）枝ハリス全体図の針部のシングルフック２個を針先部が向い合せにセットした二股吊り仕掛け図、        （チ）枝ハリス全体図の針部のシングルフック２個を直列にセットした仕掛け図。（リ）枝ハリス全体図の針部のダブルフック２個を直列にセットした仕掛け図。（ヌ）シングルフック、ダブルフック、トリプルフックの何れかを遊動とし、遊動部にパイプを入れた仕掛け図。        （８ｃ−１イ〜ホ）トリプルフックにハリス切れ緩衝パイプ結束要領図。
【図１０】（イ）大型魚用釣り針（８ｃ）のハリスとの結び方の１例「南方延縄結び」（ロ）「カン付南方延縄結び」の結び手順の図
【図１１】海中での生餌の生きの良い時の泳ぐ状態図
【発明を実施するための形態】
【００１３】
本願発明の釣法を可能にしたのは、枝ハリス着脱自在具（８ａ）と着脱自在具から係止具に至る部分の発明を主とし、更に付帯発明を積み重ねたことで、海底の障害物（磯の海底の岩、岩に付着している貝類及び海藻、捨てられ海底に落ちている大型ごみ及び枝付流木が沈殿し海底に半分埋まった物等）に枝ハリスを絡まらなくした事、水深方向の生餌魚の移動可能範囲を広くし得た事（釣り人は一般的に棚を広げたと言う）、魚が掛かり取り込むまでには、数回〜弐十数回の魚の強烈な引き込みが有るが、その強烈な引き込みに耐えられる仕掛けにした事、更に魚は掛かるが取り込む過程で切られる回数を非常に少なくした数点の発明等々で、初心者でも陸部（船）から大型魚か釣れる、泳がせ釣り仕掛け、及びその仕掛けを使った釣り方（泳がせ釣り方法）が発明出来、その実施形態としては、次段落で記述する方法がよい。
【００１４】
従って実施するための形態として、竿からリール・道糸・枝ハリス・浮き・錘に至るまでを対象魚類別（例えば河口付近でのスズキ・ブリ等、更に外洋に近い付近でのブリ・ヒラメ又は黒潮直接当たる付近での、ヒラマサ・ヒラメ・カンパチ・シマアジ等・親潮が直接当たる付近での鮭等々）のセットで販売するのが良い、各パーツを１パッケージとして、組み着けは購入者にＣＤ・ＤＶＤ・ＢＤ等で解説し、手順書として添付する方法もあるし、
【００１５】
基本部品（竿・道糸・リール）のみをセットとして、その他のパーツを数種類解説書付で、購入者にパッケージ単位で選ばせて、組み着けは購入者にＣＤ・ＤＶＤ・ＢＤ等で解説し、手順書として添付する方法もあるが、
少し経験のある人向きには、リール・道糸・枝ハリスのセットか又は枝ハリス（８）のみか、枝ハリスの着脱自在具（８ａ）のみを、部品として販売するのが好ましい方法である。
以上が、推奨する実施するための形態である。
【００１６】
大型魚が釣れる、泳がせ釣り仕掛けを使った釣り方（泳がせ釣り方法）に付いては、試作品等か完成した段階でビデオ撮影しＣＤ・ＤＶＤ・ＢＤ又は本で販売するのが、好ましい形である。
【実施例】
【００１７】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１８】
道糸の先端に潮流と、餌となる小魚（いわし・さば・あじ・このしろ・わち・さより・イカ・等々）の力で簡単に動かない錘（１０〜１００号）を付け（１）、竿先に向かって順に、魚が掛かった時抜け落ちないストッパーになる物を付け（２）、しもり{さかなのあがきの力で破断しない物で引き上げる時、浮きの（１）の方向の抜け止めとなる物}（３）、浮き（４）、しもり｛道糸の太さに適合した物で海中で（６）の浮き止めで止まり前記浮きを（６）の位置に海中で保持出来る物｝（５）、浮き止め｛一般的に使用されている市販品で良く（５）のしもりで浮きの上昇端を決められるもの｝（６）、枝ハリス止め体｛（６）の浮き止めよりスライドし難く（８）の枝ハリス着脱具が、泳がしている餌の力で（１）の方向に移動しない物、もしくは移動し難く出来る物｝（７）、前記（６）と（７）の間隔は、少なくとも枝ハリスの長さの１．１倍は必要、｛この仕掛けでは（６）と（７）の間隔は４．５ｍ｝、竿の先端ガイド（９）に至る仕掛けで、釣り魚がいる筈の点より（１）〜（７）迄の距離をプラスした点付近を目標に仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、（１６玉網）又は（１７ギャフ）を近くに置いて魚信を待つ、泳がせ釣り方法で使用する釣り具。
【００１９】
図１の説明をすると枝ハリス部を付けない状態で海中に投入した図｛図１（ロ）｝であり、次に竿を竿の先端ガイド（９）に手が届く位置に（倒）し竿の先端ガイド（９）より前方の道糸を取り（８）の枝ハリスを取りつけ、枝ハリス先端部の係止具に泳がせ釣りの生き餌（８ｄ）を掛け、海中に降ろす前段階の図｛図１（ハ）｝であり、次に生き餌（８ｄ）が付いた枝ハリス（８）を海中に降ろし、竿を立て道糸が張るまでリールを巻き、置き竿とした図｛図１（ホ）｝であり、魚が掛かった時、道糸及びハリスを切られない対策 をして魚信を待つ釣法｛図１（イ）｝である。（１２は魚に竿ごと海中に持っていかれない為の重し）・ （１３は魚が掛かった時の強烈な引き込みによる糸切れを防止する緩衝具）・ （１４は少し離れた位置で、ほかの事をしていても掛ったことを知らせる物、例えば音を出すもの）・ （１５は竿掛け保持具)等々をセットした図｛図１（ホ）｝、（前記１２・１３・１４・１５はこの釣法で採用している方法であって、釣り具セットとして販売する時は、オプション的存在である)
｛図１（イ）｝は、この仕掛けを投入し、道糸を張って魚信を待つ釣法の概略全体図である
【００２０】
前記この仕掛けを投入した後、餌の魚が岸側（竿の先端ガイド９方向）に来るときは、水面付近で道糸を中心として抵抗力の掛かる方向へキラキラと魚体をキラメカシながら泳ぐ（この場合魚は竿先方向即ち浅くなる方向に泳ぐ）、又沖側に（錘１の方向）に出るときは、枝ハリス止め体（７）までの間でいきよいが良い時は、道糸を中心として抵抗力の掛かる方向(主に左右及び深い方向に道糸を「くの字」に曲げながら)へキラキラと魚体をキラメカシながら泳ぐ（図１１）、このキラキラと魚体をキラメカシながら泳ぐ事が集魚効果に繋がっている。
【００２１】
投げ竿（１１）を用いて錘（１）を投入後、着脱自在な着脱具を有する移動自在の枝ハリス（８）を取りつけ、更に前記係止具（８ｃ）に生餌（８ｄ）を取りつけ投入し魚信を得る、泳がせ釣り方法で
枝ハリス（８）を取り付けないで、錘（１）を投入し｛図１（ロ）｝、次に竿を竿の先端ガイド（９）に｛道糸（１０）｝に手が届く位置に（倒）し竿の先端ガイド（９）より前方の道糸を取り、枝ハリス（８）の枝ハリス着脱具（８ａ）を、前記道糸（１０）に取りつけ、枝ハリス先端部の係止具（８ｃ）に泳がせ釣りの生き餌（８ｄ）を掛け海中に降ろす準備が出来｛図１（ハ）｝、次に生き餌（８ｄ）が付いた枝ハリス（８）を海中に降ろし、竿を立て道糸が張るまでリールを巻き、置き竿とし｛図１（ホ）｝、魚が掛かった時、道糸及びハリスを切られない対策｛図１（イ）の（１２）・（１３）・（１５）・及びリールのドラッグを緩める｝をして｛図１（ホ）｝、魚信を待つ釣法｛図１（イ）｝で、上記釣法に使用する釣り具の上記枝ハリス着脱具（８ａ）から係止具（８ｃ）に至る枝ハリス体（８ａｃ）とで構成した枝ハリス（８）である。
【００２２】
（８）の枝ハリスはこの仕掛けを実現可能にし、かつ、浮き釣りに対して同等かそれ以上の釣果にし得た部分であり、着脱自在具（８ａ）と、より戻しと、生餌（ｄ）を係止する係止部（８ｃ）と、それらを連結するハリス（８ｂ−１）を、主構成品とし、
発明が解決しようとする課題を、解決するキーポイントとなった部分なので、枝ハリス部（８）、を分割して記述する。
【００２３】
（８ａ）この部分がこの釣りで、浮き釣りに対して同等かそれ以上の釣果にし得た部分であり、それぞれのパーツは市販されていたり、当業者もしくは釣りキチなら容易に想到し得る物であるが、それに少しずつの発明を組み合わせ（積み重ね）て、新しい機能（同じ釣り場所で浮き釣りに対して同等かそれ以上の釣果にし得た）をもたらした物で、代表となる部品を図示するが、道糸の通る位置・ストッパーの位置・長さ・大きさは、釣り具がわかる人ならその図を見て、簡単に想到出来、又変更出来る部分の記載は省き代表例で記載している。
【００２４】
枝ハリス（８）の着脱自在具部（８ａ−１２）は、スナップ（Ｓａ−６．Ｓｂ−６）部を有する線材体と、円周外壁部に凹部を有し、かつ、端面に凹凸部（Ｍ−２）を有する略円板の中駒（８ａ−ｐ）を設け、前記線材体は、中駒（８ａ−ｐ）に設けた円周外壁部の凹部に嵌入して中駒を回動自在に保持し、前記略円盤形状の中駒には中心部貫通穴（Ｈ）を有し、略円盤体側面より上記貫通穴に接続するスリット（ｗ・割れ目）を有し、上記スリットには略Ｖ字状の案内部を有し、案内部奥に道糸が貫通可能な間隙（Ｓ）を形成した、ことを特徴とする枝ハリス着脱自在具（８ａ−１２）であって、
スナップ（Ｓｂ−６）部を内側に押えてスナップ（Ｓｂ−６）部を開口し端面に凹凸部（Ｍ−２）を有する略円盤の中駒（８ａ−ｐ）のスリット（ｗ・割れ目）部が真下の線材体くびれ部に位置する様に中駒を回動させ、道糸（１０）を前記スナップ（Ｓｂ−６）部の開口部から内側に入れ、更にスリット案内部奥の間隙（Ｓ）から中心部貫通穴（Ｈ）に挿入し、中駒を回動させ｛端面に凹凸部（Ｍ−２）を有している｝（図６・ロ）スナップ（Ｓａ−６．Ｓｂ−６）部を係合閉止し、線材体の弾性力で中駒の回動をロックする（図６・イ）構造である。
【００２５】
上記枝ハリスの着脱自在具（８ａ）のスナップ部Ｓａ・Ｓｂで、弾性線材体を主材とした構造で、判り易い代表例で言えば「安全ピン」で弾性線材体Ｓｂとそれを受けるスナップ受け板金部Ｓａとで構成し、本願発明ではＳａ・Ｓｂが係合された状態から弾性線材体Ｓｂに力を加え、前記係合状態を解除してＳａ・Ｓｂ間に開口部を設け、前記開口部から道糸（１０）を出し入れする着脱自在部に用いている釣り具で、以降スナップ、及びスナップ部の、の説明は省略する。
【００２６】
第一の発明は仕掛けを投げ竿で投入した道糸に取り付ける枝ハリスの枝ハリス着脱自在具であり、前記枝ハリスは枝ハリス着脱自在具と、より戻しと、ハリスと、上記枝ハリスの先端部に取り付けた係止具をもつて、主構成としており、
スナップ（Ｓａ・Ｓｂ）部を有する線材体に枝ハリス止め体（７）で止め得るリング穴部（Ｈ）を設け、前記リング穴部には道糸が貫通可能な間隙（Ｓ）を設けた、ことを特徴とする枝ハリスの着脱自在具（図５、図８）であって、
道糸の挿入は上記スナップ部の開口部より道糸を挿入し、ストッパー付スナップサルカンのスナップ線材部（８１−２）の線材を内側に１回転させて設けた枝ハリス止め穴（Ｈ）直近の間隙（Ｓ）より枝ハリス止め穴（Ｈ）にいれ上記道糸を挿入時に開口したスナップ部を閉止する。
上記係止部より道糸を外す時は道糸を枝ハリス止め穴（Ｈ）の直近の間隙（Ｓ）より抜出し、スナップ部｛（Ｓａ・Ｓｂ）、（道糸への着脱自在部）｝を有する線材体内部に道糸を引きだし、スナップ部を開口し道糸を外す。
魚が掛かり逃げ回る過程で、上記枝ハリス止め穴（Ｈ）から道糸が抜け出てもスナップ部が閉止しているので道糸（１０）は道糸への着脱自在部内に係止されており、掛かった魚は逃がさない構造に成っている事を特徴とする、枝ハリスと枝ハリスの着脱自在具である、
【００２７】
図８は枝ハリス（８）の着脱自在具（８ａ）の枝ハリス止め穴（Ｈ）をストッパー付スナップサルカンのスナップ線材部（８１−２）の線材を内側に１回転させて設けた物で（図８イ、ロ）、図８（イ）は（ロ）に記載の枝ハリス着脱自在具（８ａ−４）の装着手順を記載した物で、（ａ）はスナップ部を閉じている図、（ｂ）はスナップ部を開いて道糸の一方（１０−１）と道糸の他方（１０−２）の中間部をスナップの開口部よりスナップの内部に通した図、（ｃ）は線材をスナップの内側に１回転させて設けた枝ハリス止め穴（Ｈ）部分の下端部（図面で見て）迄開口部に続く線材に沿って押し込んだ図、（ｄ）は（ｃ）で押し込んだ道糸の一方（１０−１）を下方に（図面で見て）引き（ｅ）で下方に（図面で見て）引いた道糸の一方（１０−１）を開口部よりスナップの外部に出し、（ｆ）で道糸の一方（１０−１）と道糸の他方（１０−２）をスナップの開口部を閉じ直線に成るようにすると、（ａ）の向きと逆方向に反転して枝ハリス止め穴（Ｈ）に道糸（１０）が入り、竿の先端方向の海面部から枝ハリス止め体（７）、の間をスライド出来る様になる（図８、ロの状態）。
道糸から前記枝ハリス着脱自在具（８ａ−４）を取り外すのは前述手順の逆にすれば良い。
【００２８】
図８（ハ）は図８（イ）又は（ロ）に記載の、線材をスナップの内側に１回転させて設けた枝ハリス止め穴（Ｈ）部分を、スナップの外側に１回転させて設けた物で、｛枝ハリス着脱自在具（８ａ−５）｝着脱手順は前段落に記載の要領に順じているので、記載を省略する。
【００２９】
図 ２の枝ハリス（８）の着脱自在具の着脱自在部であって、図２（イ）の８ａ−１は、略球形状体の玉体（Ｚ）に一箇所の略中心部貫通穴｛道糸（１０）が通る軸線方向の穴（Ｈ）｝を有し、略球形体側面より道糸（１０）が通る軸線方向の穴（Ｈ）迄の割れ目(スリット、Ｗ）を設け、前記割れ目(スリット、Ｗ）には略Ｖ字状の案内部を有し、案内部奥に道糸が貫通可能な間隙（Ｓ）を形成し、割れ目の入り口にはリップ部（Ｔ）を設け割れ目位置を認識し易くし、更に着脱時に｛図  ２（ロ）のＡ−Ａ断面図｝
着脱を容易にする弾性部（Ｄ）と枝ハリス止め玉を指でつまみ易くする、略平坦部を前記略球状体の玉体（Ｚ）の両側に設け、更に魚か掛った時枝ハリス止め体（７）を動き難くするテーパー（ＴＰＨ）を、道糸（１０）が通る軸線方向の穴（Ｈ）の枝ハリス止め体（７）側（もしくは両側）に設け、｛図  ２（ロ）のＢ−Ｂ断面図｝、道糸に前記８ａ−１を嵌め込み、更に上記玉体とは別体のスナップ部を有する着脱自在部（８ａｂ）のストッパー付スナップサルカン｛８ａ−１〜３、８ａ−１３が通り抜けないもの、（８１）であるが、道糸に着脱自在に出来るものなら良く、ストッパー付スナップサルカンには拘らないが（Ｙのより戻し機能が必ずついたものがより好ましい）、以後のストッパー付スナップサルカンの記載は同じ意味を含んでいるので、此の括弧内の再記載は省略する。｝とストッパー付スナップサルカンから係止具に至る枝ハリス体（８ａc）を別体で後続して、竿を倒して｛図１（ハ）の状態にする｝ストッパー付スナップサルカンのスナップ部の開閉により装着する、枝ハリス（８）と枝ハリスの着脱自在具（８ａ）｛道糸を張れば図１（イ）の状態になる｝。
この段落に記載の略球状体の玉体（Ｚ）は、一例として玉で記載しているが形状には拘らなく、板状体・円板体・円盤体・四角・八角等の多角形の立方体や略楕円形を含む丸みを持つ形状の物でも、枝ハリス止め体（７）で、枝ハリス着脱自在具（８ａ）を有する枝ハリス（８）が、止まる機能を有する物なら、すべて本願発明に含む。
この段落に、道糸（１０）が通る軸線方向の穴（Ｈ）を設け、道糸が貫通可能な間隙（Ｓ）を設ける、と記載しているが、前記道糸が貫通可能な間隙（Ｓ）は、枝ハリス着脱自在具（８ａ）の穴（Ｈ）に道糸を嵌め込み、枝ハリス着脱自在具（８ａ）が道糸を移動自在に係止された状態時で、図１１に記載の道糸の形状、すなわち道糸を餌の魚（８ｄ）が抵抗力の掛かる方向に引っ張るので、その時の道糸は「くの字」になっていて、餌の魚（８ｄ）が枝ハリス止め体（７）方向もしくは竿先方向へ進もうとする時、穴（Ｈ）に設けた間隙（Ｓ）に食い込みその位置から枝ハリス止め体（７）、方向へ進めなくならない間隙（Ｓ）にして設ける事が、好釣果に繋がる、｛本願発明に記載の枝ハリス着脱自在具（８ａ）すべてに設ける、道糸（１０）が通る穴（Ｈ）の道糸が貫通可能な間隙（Ｓ）は、海面から枝ハリス止め体（７）間は、餌の魚(８ｄ)がどのような方向に引張つても、全て、間隙（Ｓ）に道糸（１０）が食い込まなく、スムースにスライドし得る間隙（Ｓ）を有する物が好ましい｝。
【００３０】
前述の割れ目の入り口のリップ部（Ｔ）は割れ目の方向、位置を判り易くするものであり、又着脱を容易にする弾性部Ｄと略球状体の玉体（Ｚ）の両端に指でつまみ易くする略平坦部｛図２（ロ）のＡ−Ａ断面図｝は設け無くても良く、略平坦部は操作性を良くする物であり、着脱を容易にする弾性部（Ｄ）を設けない場合は、道糸の弾性力（道糸をつぶす方向の力）での装着であり道糸の太さと道糸（１０）を嵌め込む割れ目の軸線方向の穴（Ｈ）直近の間隙（Ｓ）の設定が狭くなる、言い換えれば道糸（１０）の直径により適合する略球状体の玉体（Ｚ）の種類が多くなる。
【００３１】
前項に記載のリップ部（Ｔ）と
弾性部（Ｄ）と略球状体の玉体（Ｚ）の両端に指でつまみ易くする略平坦部を設けていないのが、図２（ハ）と（ホ―２）の（Ｃ−Ｃ断面図）・（Ｅ−Ｅ断面図）に記載の、枝ハリスの着脱自在具の８ａ−３で、割れ目の位置を軸線方向穴（Ｈ）の側方向に設け、前記穴（Ｈ）に貫通させ、穴（Ｈ）直近の間隙（Ｓ）部に弾性部（Ｄ）を設けた物が図２（ハ）と（ホ―１）の（Ｃ−Ｃ断面図）・（Ｄ−Ｄ断面図）に記載の、枝ハリスの着脱自在具の８ａ−２であり、この図｛図 ２（ハ）と（ホ―２）の（Ｃ−Ｃ断面図）・（Ｅ−Ｅ断面図）、図 ２（ハ）と（ホ―１）の（Ｃ−Ｃ断面図）・（Ｄ−Ｄ断面図）｝には魚か掛った時枝ハリス止め体（７）、を締めこむ作用をするテーパー（ＴＰＨ）を道糸（１０）が通る軸線方向の穴（Ｈ）の枝ハリス止め体（７）側・（もしくは両側）に設けていないが、前記テーパー（ＴＰＨ）を設けることも本願発明に入っている。
これ以降枝ハリスの着脱自在具の記載では、前記テーパー（ＴＰＨ）を設けることも出来る道糸（１０）の通る部材を使用している着脱自在具には、図示していなくても、又記載していなくても、前記テーパー（ＴＰＨ）を設けた物も含んでいる。
【００３２】
前記略球状体の玉体（Ｚ）の道糸（１０）が通る軸線方向の穴（Ｈ）の穴芯の位置を変えて（偏芯させる）穴芯と略球状体の玉体（Ｚ）の外壁部との肉厚を薄くする方向に変える事でも、又は材質の弾性度を変える事でも対応でき本願発明に含む。
この段落に記載している事項は全枝ハリス（８）構造の派生例として適用する｛但し金属線材のみの使用、例えば図５の（イ）、図６の場合や図８の線材部が弾性部（Ｄ）の働きをしている場合等は除く｝
【００３３】
着脱自在具（８ａ）の着脱部は、着脱時に道糸に傷をつけないものが好ましい。（道糸の傷部に集中応力が掛かり、糸切れにつながる）
例えば図４のようにストッパー部やスナップ部を受けるシャープなエッジを持った部分（板金加工部）に、樹脂コーティングをして設け、線材部に可塑性樹脂のパイプ（Ｐ１）を挿入し、かしめるとか、線材部と板金部を別々に樹脂コーティングし組み付ける等、糸切れにつながる傷を、つけない対策を（部分的でも良い）するのが好ましい、
【００３４】
又この線材部を可塑性樹脂コーティングすることで実登３０９４５０１（特許文献２）に記載の樹脂のパイプの挿入と同じ効果、即ち大型魚が食いつき、強烈な引き込みがあった時の糸切れ防止機能を有する事になる。
【００３５】
前記弾性材料（エラストマー）又は可塑性材料のパイプを通して覆うか、可塑性樹脂コーティングをしたパイプを挿入してかしめるとか、樹脂コーティング等が必要な理由は、対象魚をブリとして記述するが、８０ｃｍ〜１ｍオーハーで１０ｋｇ前後の魚であるので、当然掛かると数十メートルは逃げ回るので、少なくて６ｍ間隔で釣っている人の竿の仕掛けの何本かに絡む、絡んだ場合掛かっていない自分の仕掛けで、釣れている人の道糸に傷を付け、糸切れとなり逃がしてしまう・・・自分が釣れていて他人の仕掛けで切られるケースもある、同じ釣り場で十数人が釣りをしていても、２〜７日間一匹も釣れない事が多々ある中、自分にしても他人にしても、掛った魚を仕掛けの悪さで逃がしてしまうのは避けたい為である。
【００３６】
沿岸回遊大型魚の釣り具の、枝ハリス（８）と枝ハリスの着脱自在具（８a）であって、上記枝ハリス（８）は枝ハリスの着脱自在具（８a）の略球形状の玉体（Ｚ）と、上記玉体とは別体のスナップ部を有する着脱自在部（８ａｂ）と着脱自在部から係止具に至る枝ハリス体（８ａｃ）とで構成されており、
上記玉体は、略中心部貫通穴（Ｈ）を有し略球形体側面より上記貫通穴に接続するスリット（Ｗ）を有し、上記スリットには略Ｖ字形状の案内部を有し、案内部奥に道糸が貫通可能な間隙（Ｓ）を形成した形状をしていることを特徴とする、枝ハリスと枝ハリスの着脱自在具（８ａ−１・８ａ−２・８ａ−３）。
【００３７】
この枝ハリス着脱自在具（８ａ−７・８ａ−１１）、の内８ａ−７を代表例とした、道糸への着脱方法は（図４）、閉じているスナップサルカンのＳｂ−４を内側方向に押してＳａ−４からＳｂ−４を外して（イ‐ａ）からスナップ部が開口した（イ‐ｂ）の様にして、前記開口したスナップ部から中に入れ、略球体部に設けている間隙（Ｓ）から道糸（１０）を嵌め込み（イ‐ａ）の状態に戻すことで、道糸へ装着出来る、道糸から外す時は、前述の逆方法で行う。８ａ−１１の道糸への着脱方法も、同じ要領なので省略する。
【００３８】
着脱自在具（８ａ−８）｛図５・（ロ−１）・（ロ−２）｝は、前記着脱自在具（８ａ−１０）の線材体がスナップサルカン部に変わったのみで、又枝ハリス着脱自在具（８ａ−８）の道糸への着脱要領は前段落の記載と同じなので省略する。
この段落の記載は略球形体としているが、枝ハリス止め体（７）で、枝ハリス着脱自在部（８ａ）を有する枝ハリス（８）部が、止まる機能を有する物なら、略球形体に拘らず、例えば板体・円板体・円盤体・４角、６角等多角形の立方体や、略楕円形を含む円弧を持つ形状で有っても良い。
【００３９】
枝ハリス（８）の着脱自在具部（８ａ−６）であって、スナップ（Ｓｂ−５）部を有する線材体に枝ハリス止め体（７）で止め得るリング穴部（Ｈ）を設け、前記リング穴部には道糸が貫通可能な間隙（Ｓ）を設け、前記線材体の外側に、スナップ（Ｓｂ−５）部を受ける受け穴（Ｓａ−５）部を有する略楕円筒（８ａ−６１）を設け、前記線材体に設けた枝ハリス止め穴（Ｈ）の線材下部を前記略楕円筒の上下動の上端ストッパーとし、下端ストッパー（８ａ−６２）をスナップ（Ｓｂ−５）部を有する線材体に設けた物で、
図８（ホ−１）は略楕円筒（８ａ−６１）のスナップ（Ｓｂ−５）部を受ける受け穴（Ｓａ−５）部が、スナップ（Ｓｂ−５）部に嵌まった状態図で、前記下端ストッパー（８ａ−６２）の凸部を両側から内側に押えて略楕円筒（８ａ−６１）を下方向に動かすと、スナップ受け穴（Ｓａ−５）部からスナップ（Ｓｂ−５）部が外れ、略楕円筒（８ａ−６１）上端部と線材端部との間に出来た道糸（１０）が入り得る開口部から道糸（１０）を入れ、その道糸（１０）を線材体に設けた貫通可能な間隙（Ｓ）から枝ハリス止め穴（Ｈ）に挿入し（ホ−２）、略楕円筒（８ａ−６１）を上端ストッパー｛枝ハリス止め穴（Ｈ）を構成する線材下部｝迄上げるとスナップ（Ｓｂ−５）部とスナップ部受け穴（Ｓａ−５）部が嵌まりロック状態となる（ホ−３）。
【００４０】
図３の枝ハリス（８）の着脱自在具部（８ａ−１３）は弾性性状を有する樹脂を主材とする着脱自在部（８ａ）は、無数に考えられるがその１例であって、弾性性状を有する円板体の概略中心部に道糸が挿通可能で、かつ、枝ハリス止め体（７）で止め得る穴（Ｈ）を設け、一方の円板体側面より前記挿通可能な穴（Ｈ）迄の切断線を設け切断し、前記切断線を基準とし右若しくは左に少なくとも９０°（最大で１８０°）に切り割り、他方の円板体側面に一部をヒンジ部として切り割らずに残した切り割り片を設け、前記切り割り片と切り割り片の残片とを繋げて設け、前記一方の円板体（切り割り片の残片）側面に弾性の凸（Ｒｋ−１）を、他方の円板体（切り割り片）側面に弾性の凸を／弾性の凹もしくは弾性の凸／貫通穴（Ｒｋ−２）を組み合わせロック機構として設けた（図３・イ・ロ・ハ）、弾性性状を有する樹脂を主材とした物で、更に前記着脱自在具部（８ａ−１３）の竿先端部（９）側にスナップサルカンから係止具に至る枝ハリス（８ａｂ）を別体で後続して設け、
前記８ａ−１３の前記挿通可能な穴（Ｈ）に道糸を嵌め込みロック機構｛（Ｒｋ−１・Ｒｋ−２ａ・Ｒｋ−２ｂ）と（Ｒｋ−２・Ｒｋ−１ａ・Ｒｋ−１ｂ）｝でロックし、更にストッパー付スナップサルカン｛８ａ−１３が通り抜けないもの、（８１）｝から係止具（８ｃ）に至る枝ハリス部（８ａｂ）を、竿を倒して、ストッパー付スナップサルカンのスナップ部の開閉により｛図３（ホ）の状態に｝装着する。
図３へ、は弾性性状を有する樹脂を主材とする着脱自在具部（８ａ）の樹脂に軟体金属体（アルミニューム・真鋳・ステンレス及びそれらの撚り線等）をインサート成形しスナップサルカンから係止具に至る枝ハリス（８）を一体化したイメージ図、図３トは弾性の凸を／弾性の凹もしくは弾性の凸／貫通穴（Ｒｋ−２）を組み合わせたロック機構のイメージ図
【００４１】
８ｂ−１は枝ハリス（８）の着脱自在具部（８ａ−１〜８ａ−１３）と、枝ハリスの先端部の係止具（８ｃ）間を連結するハリス（図９、イ）であつて、ハリスとして使用されている物には、
１． ナイロン・特性として伸び率２０％〜４５％あり、フック（釣り針）やサルカンとの結束部の結束方法によっては大型魚が掛かり引き込む力で伸びて結束部が抜けるので使い慣れない人には推奨出来ない物。
２． フロロカーボン・最近の釣りでのハリスとしては一番普及しているもので、結束部強度ではＰＥ（ポリエチレン  ダイニーマ）に次ぐ強度を持ち更に水中での屈折率１．４２と、水の屈折率１．３３と近く水中では見えにくい素材である。
（この仕掛けではフロロカーボンの１２号を使用している。）
３． ＰＥ（ポリエチレン  ダイニーマ）・現在市販されているラインとしては最強度の物であり、伸び率１．０４で、釣りに持たらすメリットは、感度（当たり等微妙な変化を伝え易い特性を持っている）の良さである、反面弱点としては、耐熱性で、耐熱温度が１４５℃と低く、低い摩擦熱で切れてしまうこと及びラインがしなやかで、絡みやすく、又一度絡むと解き難い事である、この釣法及び仕掛けでは、泳がせている餌の魚の勝手な動きて、浮き釣りでも、この釣法（以後ブッ込み釣りと記する）でも、絡みやすく、特にブッ込み釣りでは、道糸や浮き等に絡み、枝ハリス長さが短くなると餌の魚が弱り死ぬとか烏賊等に食われ易くなり、生餌として役に立たなくなるので、ハリス（８ｂ−１）全部をＰＥとするのは推奨し難い。
４． 以上１〜３を組み合わせたハリスも市販されているが、試釣するに至っていないので、ブッ込み釣りへの使用は本願発明ではコメントできない。
【００４２】
上記枝ハリスの先端部の係止具（８ｃ）の連結方法であって、前記係止具（８ｃ）を枝ハリスの先端部に２個設け、２個の内１個（８ｃ−２）を遊動する様にして設け、前記設けた係止具（８ｃ）の針先の方向を向い合わせにして（８ｃ−１・８ｃ−２で、いずれもダブルフックもしくはトリプルフック）設け、かつ、前記遊動として設けた係止具（８ｃ−２）の遊動範囲部分を、弾性材料（エラストマー）又は可塑性材料のパイプを通して覆うか、可塑性樹脂コーティングをして設け（８ｃ−１ｐ）、かつ、前記２個設けた係止具（８ｃ）間に、大型魚の暴れる力で破断しないストッパー（８ｂ−２ａ）で前記パイプの移動を固定するストッパー（８ｂ−２ｂ）を設けたことを特徴とする枝ハリスの先端部の係止具（８ｃ）との連結方法であって
図９の（ハ）・（チ）・（リ）は２個の係止具（８ｃ）をハリス（８ｂ−１）に直列に結束した、結束方法で（ホ）・（へ）は１個の係止具（８ｃ）をハリス（８ｂ−１）に結束した、結束方法で（ロ）・（ト）は２個の係止具（８ｃ）をハリス（８ｂ−１）に並列（二股吊り・又は提灯吊り）に結束した、結束方法でいずれの方法も幅広く使用されている係止具（８ｃ）、（シングルフック・ダブルフック・トリプルフックのいずれでも）の結束方法であるが、浮き釣りには多少の長所・短所はあっても釣果には大差はないと聞き及んでいる。
しかしこの釣り（ブッ込み釣り）では図１１に記載の様に生餌（８ｄ）は生きの良い時は道糸を「くの字」に曲げながら抵抗のある方向に泳いでいる時が約半分程度あり、この時はハリス｛（８ｂ−１）・このブッ込み釣りではフロロカーボンの１２号を使用している｝もピーンと張った状態で図９の（ハ）（ホ）・（へ）・（チ）・（リ）の結束方法では頭から餌を食いついた時は掛る確率は高いが、（ロ）・（ト）の結束方法では頭からでもしっぽからでも食いつく寸前に前記ピーンと張った状態のフロロカーボン１２号ハリスに当たり、食いつかないケース（竿先をガーンと曲げる当たりが１回だけあるケース）があり、その経験から（イ）の結束方法を発明するに至った。
ブリの試釣の過程で試釣者及びアシストしてくれた人が、ブッ込み釣りで釣り上げたすべての魚をアギと内蔵との接続部を切ってシメテいるので、胃袋の中に入っている魚の状態が自然に判ってきた。
すなわち、ブッ込み釣りで釣り上げられる以前に胃袋の中に入っているのは、尻尾が奥で頭が手前で、魚が餌を追っかけて尻尾から飲み込んだか、もしくはいろんな角度から一撃して鳥が魚を飲み込む様に、銜えなおして尻尾から飲み込んだかは判らないが胃袋の中から出る時に尻尾から出たのは見ていない。
【００４３】
しかし浮き釣りのベテランの人は、口をそろえて魚は頭から食うといっている。
試釣者は初期の釣りでは（ホ）・（へ）から（ハ）・（チ）・（リ）の結束方法であつたが、当たりらしきものは数回あつたがフッキィングしたのは数回の当たりの１／３程度であった。その後（ロ）・（ト）の結束方法に替えフッキィング率が上がり更に（イ）の結束方法（８ｃ−２を遊動にすることで、ハリスがピーンと張れば張るほど、頭からでも尻尾からでも掛りやすい形）、すなわち針先の方向を向い合わせにしたことで、フッキィング率が更に上がつた。
【００４４】
図１０の（イ）はカンを持たないシングルフックの大物対応ノット「南方延縄
結び」で
（ａ）ハリスでハリ側に輪を作りハリの軸を挟む。輪は外掛け結びより大きくとる。
（ｂ）ハリス先端部で、本線と針軸を一緒に針の耳方向へ４回巻き付ける。
（ｃ）ハリス先端を輪の中へ入れ、輪を１回ひねる。
（ｄ）ひねった輪でハリス先端部と針を一緒に潜らせる。これを４回続ける。
（ｅ）まず、本線をゆっくり引き全体を締める。次にハリス先端部を引き、形を整えながら更に締める。ハリスが針の内側から出るように整え、もう一度両方を引き締め、余分をカットして完成。
図１０の（ロ）は、カンを有するフックの大物対応ノット「カン付き南方延縄結び」で
（ａ）ハリスでハリ側に大きめの輪を作りハリの軸を挟む。
（ｂ）ハリス先端をハリ先方向へ曲げ、輪のなかを通す。
（ｃ）ハリス先端をハリ先方向へ曲げ、輪を１回ひねる。
（ｄ）ひねった輪で、ハリス先端部と針を一緒に潜らせる。これを４回続ける。
（ｂ）まず、本線をゆっくり引き全体を締める。次にハリス先端部を引き、形を整えながら更に締め、余分をカット
（ｅ）ハリスを必要な長さでカット。
（ｆ）結び目を回転させて、ハリスがハリ先の反対側に来るように整える。ハリス先端をカンにくぐらせ、ゆっくり引き締めて完成。
【００４５】
上記枝ハリス（８）の着脱自在具部（８ａ）から、枝ハリスの先端部の係止具（８ｃ）間を連結するハリス（８ｂ−１）の両端結束部で、前記両端結束部のハリス（８ｂ−１）に弾性材料（エラストマー）又は可塑性材料系のパイプで覆うか、可塑性樹脂コーティングをして設けた（８ｂ−１ａ）物で、一方の着脱自在具（８ａ）の輪部及び他方の係止具（８ｃ）のカン部を結束する結束部の輪（８ｂ−１ａ）を、前記一方の着脱自在具（８ａ）の輪部及び係止具（８ｃ）のカン部に潜らせ、前記一方の着脱自在具（８ａ）及び他方の係止具（８ｃ）を、前記結束部の輪（８ｂ−１ａ）に潜らせ結束する物で、
前記輪の装着要領は、図９、８ｃ−１・イから８ｃ−１・ホで、８ｃ−１・イで、カン部へ８ｂ−１ａを潜らせ、８ｃ−１・ロで８ｂ−１ａを引出し、８ｃ−１・ハで、ロ、で引出した輪を、前記一方の着脱自在具（８ａ）及び係止具（８ｃ）を潜らせ、８ｃ−１・ホ、の様に成るまで、締め方向に引っ張り装着完了（８ｃ−１・ホ）となる。
魚が掛かり糸切れとなる部分の殆ど（７０％以上）が、枝ハリス（８ｂ−１）の両端結束部で、大型魚用シングルフック及び管部を持つフックの代表的な結び方（図１０）を記載しているが、図で見ると簡単そうであるが、此の結び方をマスターするには少し熟練が必要となり、前記両端結束部のハリス（８ｂ−１）を、パイプで覆ってからの試釣では、両端結束部の糸切れは一度もないので、好ましくはこの段落記載の技術を使用すべきである。
【００４６】
図９、（イ）の結束方法で試釣を続ける約１か月の間に魚が太ったせいか、前記８ｃ−２を遊動にした部分の糸切れを数回経験し、図９（ヌ）の遊動部に弾性材料（エラストマー）又は可塑性材料のパイプを通して（この仕掛けでは内径０．６ｍｍのパイプを使用）パイプ両端をストッパー（この仕掛けでは直径４ｍｍのパール色のビーズ使用）を固着してもうけた、枝ハリスの先端部の係止具結束技術を発明した。
前述の先端部の係止具結束技術を使用してからは頭から食ったのと尻尾から食ったのとは、ほぼ半々である。
この仕掛けでは市販品のＮＯ３のトリプルフック（８ｃ−１）線径１．０ｍｍのブラウン係色を使用しているが、３本のフックの内１本のみにフッキィングした時、フックは伸びて逃がしてしまう、「８ｃ−１」はＮｏ３のトリプルフックの大きさで線径１．０〜１．２ｍｍのブラウン係色で更にフックの伸び方向の剛性ＵＰの平打ちをしたものが好ましい、
この仕掛けの「８ｃ−２」は市販品のＮｏ２のトリプルフックに補助具を使ってフック部とカン部間の長さを長くしているが、これも前記Ｎｏ３のトリプルフック（８ｃ−１）同様の大きさの線径１．０〜１．２ｍｍのブラウン係色で、更にフックの伸び方向の剛性ＵＰの平打ちをし、フック部とカン部の長さを１．５倍近く長くするのが、好ましい遊動トリプルフックの形である。
【００４７】
第７図は道糸（１０）に着脱自在部を有する  枝ハリス（８）の着脱自在具（８ａ）に接続する略楕円形の錘（８ｅ）であって、この略楕円形の錘（８ｅ・１〜５号）はなくてもつれることは釣れるが、生き餌を付け海中に投入した時、餌の魚によっては真っ直ぐに深い方向に潜ってくれる者もおるが、大半は図１１に記載の様に生餌（８ｄ）は、生きの良い時は道糸を「くの字」に曲げながら抵抗のある方向（岸方向あるいは左右方向に）に泳いで海面で、もがいている、この状態のままにしておくと、魚は弱るし、鳥とかに食べられてしまう、しかし道糸を「くの字」に曲げながら抵抗のある方向に力強く泳ぐ時間は数分間隔で泳ぎ疲れ少し力が弱った時、前記「くの字」に曲げた、曲りの角度が小さく成り、その時この錘を付けていると枝ハリス（８）の着脱自在具部（８ａ）が深い方向に少しずつスライドし、この錘に接続している絡み止め（８ｆ）が見えなくなり次第に、水面より棚に近い深さに餌を入れる効果があるので、好ましくはこの錘（８ｅ）をつけるのが良い、
前記軸線方向の貫通穴を設けた錘に、かつ、貫通穴の両端入り口部入り口方向を大径とするテーパー部（ＴＰＨ）を設けたことを特徴とする、枝ハリス（８）の着脱自在具部（８ａ）に接続する略楕円形の錘（８ｅ−１ａ）にしたことであつて、
図７に記載のように錘両端部の（ＴＰＨ−２）の効果は錘の両端入り口部は鋳込み製造でのシャープなエッジが残っている場合が多々あり、一方の入り口部はハリス（８ｂ−１）・（８ｂ−１ａ）の端部及び結束部をテーパー部で収納・固着して保護し、他方の入り口は絡み止め（８ｆ）を挿入固着しハリス（８ｂ−１ａ）を保護して、糸切れと絡み対策になるので更に好ましいのはこの錘（８ｅ−１ａ）をつけるのが非常に良い。
【００４８】
道糸（１０）であるが（段落番号００４２）のハリスに記載しているものが、使用可能なものである、
他の人の仕掛けと絡む心配のない場所ではＰＥを使用しても問題ないが、試釣の間に
近くで、ＰＥ１号で釣り上げた人が１人居た。
しかし少なくて６ｍ間隔でつりをしている場所では、誰かの竿に魚が掛かった場合、掛かった魚は速いスピードで逃げ回るので、必ず数人の人の仕掛けに絡まるのでＰＥはこの釣りの道糸（１０）に使用するのは推薦しがたい。
このブッ込み釣りの道糸（１０）に使用しているのは、ナイロン１０号（色はオレンジ）でナイロンの伸びる特性が掛かった魚の強烈な引き込みのショックアブソバーになっているが、１本釣り上げる度に伸びた部分を切って捨てる事が欠点であるが、１日１本釣れれば大漁の部類に入るので、早く次の２本目をゲットしたい人は、道糸を巻いた予備のスプールもしくはリールを使い、枝ハリス（８）の予備を使えば簡単に釣りが再開できる。
この仕掛けでは道糸（１０）にナイロン１０号（色はオレンジ）を使用しているが、大物釣りの初心者向けには、取り込み時に失敗が少ないナイロン１２号を使用するのが好ましい。
【００４９】
竿（１１）は２０〜３０ｍ以上投げられる物ならグラスロッドでもカーボンロットでも良く限定はしないが、護岸部での取り込みを考え、かつ、生餌の弱り難さを考慮すると、長さは４ｍ〜６ｍは欲しい、更に竿先部は５０号の錘の遠投に耐える物で、生餌の引く力で穂先が２０〜５０ｃｍ程度たわむ先調子のものが好ましい。
【符号の説明】
【００５０】
１，      錘。
３，      しもり（浮きを挟んで錘側）。
４，    浮き。
５、しもり（浮きを挟んで浮き止め側）。
６、浮き止め（６ａ、  浮き止めでフットボール状の弾性体、６ｂ、  ６ａの弾性体を貫通している線体の輪部、６ｃ．撚ってある糸体の浮き止め、６ｄ  輪ゴム状の弾性体の浮き止め）。
７、枝ハリス止め体（７ｃ．撚ってある糸体の枝ハリス止め体、７ｄ．輪ゴム状の弾性体の枝ハリス止め体）。
８、枝ハリス体全体。
８１、スナップサルカン（よりフックに至る枝ハリス体全体を表している場合もある）。      
８１−２、  ８ａ−４のスナップサルカンのスナップ線材体。
８１−３、  ８ａ−５のスナップサルカンのスナップ線材体。
８ａ、  枝ハリス着脱自在具。
８ａｂ、玉体とは別体のスナップ部を有する着脱自在部
８ａｃ、スナップサルカンから係止具に至る枝ハリス体
８ａ−１。枝ハリス止め体で、止まる穴を有する着脱自在具（８a）の略球形状の玉体と、スナップ部を有する枝ハリス着脱自在部を別体で構成している枝ハリス着脱自在具で、玉体にスリット・Ｖ字案内部・道糸を貫通さす間隙・側面の平坦面・弾性部を設けた構成のもの。
８ａ−２．８ａ−２のスリットを、枝ハリス止め体で、止まる穴の側方に設けた枝ハリス止め玉体と枝ハリス着脱自在部を別体で構成している枝ハリス着脱自在具
８ａ−３、８ａ−１での、枝ハリス止め具の玉体の弾性部と両側に略平坦部と弾性部を設けていない物で、スリット（割れ目）を玉体貫通側部に設け弾性部とした物で、枝ハリス着脱自在部を別体で構成している枝ハリス着脱自在具。
８ａ−４、線材体部内側に線材体で枝ハリス止め体を止め得る穴を構成した枝ハリス着脱自在具。            
８ａ−５、線材体部外側に線材体で枝ハリス止め体を止め得る穴を構成した枝ハリス着脱自在具。        
８ａ−６、線材体と略楕円筒で構成した枝ハリス着脱自在具。
８ａ−７、枝ハリス止め具の玉体の８ａ−１〜８ａ−３と線材体を主材とする部材を一体にした枝ハリス着脱自在具。
８ａ−８、８ａ−７で球形状の外面に凹部を設けた枝ハリス着脱自在具。
８ａ−９、スナップ部、スナップ受け部を有する線材体で構成した枝ハリス着脱自在具。            
８ａ−１０、８ａ−８のスナップ部、スナップ受け部を線材体で構成した枝ハリス着脱自在具。        
８ａ−１０ａ、８ａ−１０の球形状を立方体で構成した枝ハリス着脱自在具。
８ａ−１１、８ａ−７のスナップ部、スナップ受け部を線材体で構成した枝ハリス着脱自在具。        
８ａ−１２、枝ハリス止め体で、止まる穴を有する枝ハリス止め具の中駒体と・スナップ部、スナップ受け部を有する線材体で構成した枝ハリス着脱自在具。
８ａ−１３、枝ハリス着脱自在部で弾性性状を有する樹脂を主材として成形された物の１例      
８ａ−６１、枝ハリス着脱自在具８ａ−６の略楕円筒
８ａ−６２、枝ハリス着脱自在具８ａ−６の略楕円筒の下端ストッパーの、線材体の凸部。        
８ａ−ｐ、  ８ａ−１２の略円板形状の中駒体。
８ｂ、      枝ハリス部のハリス。
８ｂ−１、  より戻し部から係止具の間を接続するハリス。
８ｂ−１ａ、８ｂ−１を可塑性パイプなどで強度ｕｐした物。
８ｂ−２、  ８ｃ−１側のストッパー。
８ｂ−２ａ、８ｃ−１，８ｃ−２間のパイプ８ｃ−１ｐの移動を固定する前記パイプ両端のストッパーの一方。
８ｂ−２ｂ、８ｃ−１，８ｃ−２間のパイプ８ｃ−１ｐの移動を固定する前記パイプ両端のストッパーの他方。
８ｃ      係止具、（８ｃ−１、トリプルフック固定側，８ｃ−２、  トリプルフック遊動側。
８ｃ−３  二股吊りのトリプルフック，８ｃ−４  シングルフツク
８ｃ−５、  ダブルフツク）。
８ｄ、      生き餌。
８ｅ、      枝ハリス着脱自在具に接続してつけている錘。
８ｆ、      絡み止めパイプ。
１１、      投げ竿
１１ａ      竿本体。
１１ｂ，    リール（スピニングリール）。
８１、    ストッパー付スナップサルカン（８１−２，８１−３，８１−５，８１−６）。
Ｄ、      枝ハリス着脱自在部に設けた弾性部。
Ｈ、      枝ハリス止め体で止まり得る穴。（枝ハリス着脱自在具道糸通糸穴）
Ｊ−１、  ８ａ−１３の樹脂の板体の切り割リ片
Ｊ−１ａ  Ｊ−１に軟体金属をインサートした物。
Ｊ−２、  Ｊ−１の残りの残片。
Ｊ−２ａ  Ｊ−２に軟体金属をインサートした。
Ｌ、      Ｊ−１，Ｊ−２の接続ヒンジ部。
Ｐ、      弾性パイプ。
Ｐ１、    可塑性樹脂パイプ。
Ｐ−２、  ストッパー（２）接続部の道糸に通しているパイプ。
Ｒｋ−１、Ｊ−２円板体円周外壁面部に設けた弾性（ロック機構）の凸。
Ｒｋ−１ｂ、Ｒｋ−１  別タイプのイメージ体。
Ｒｋ−２、Ｊ−２円板体円周外壁面部に設けた弾性（ロック機構）の凸・凹・貫通穴。
Ｒｋ−２ａ、Ｒｋ−１  別タイプのイメージ体。
Ｒｋ−２ｂ、Ｒｋ−１  別タイプのイメージ体。
Ｓ、      道糸が貫通可能な間隙。
Ｓａ、    スナップ受け部（側の線材体）。
Ｓａ−２、８ｂ−１０の  スナップ受け部。
Ｓａ−３、８ｂ−１１の  スナップ受け部。
Ｓａ−４、８ｂ−４，８ｂ−５，８ｂ−７，８ｂ−８の  スナップ受け部。
Ｓａ−５、８ｂ−６のスナップ受け部。
Ｓａ−６、８ｂ−１２のスナップ受け部。
Ｓｂ、    スナップ部（側の線材体）。
Ｓｂ−２、８ａ−１０の  スナップ部。
Ｓｂ−３、８ａ−１１の  スナップ部。
Ｓｂ−４、８ａ−４，８ａ−５，８ａ−７，８ａ−８の  スナップ部。
Ｓｂ−５、８ａ−６のスナップ部。
Ｓｂ−６、８ａ−１２のスナップ部。
Ｔ、      略球状形状の枝ハリス着脱自在部の玉体の割れ目入り口のリップ部。
ＴＰＨ、  枝ハリス着脱自在部の道糸が通る穴の入り口部に設けた入り口側を大径とするテーパー穴。
ＴＰＨ−２、枝ハリス着脱自在部のより戻し部に接続している錘に設けた、入り口側を大径とするテーパー穴。
Ｗ  、    スリット（割れ目）。
Ｙ  、    より戻し部（を有する物Ｙで表現している物もあり）。
Ｚ、      略球状形状の枝ハリス着脱自在部の玉体。
【手続補正２】
【補正対象書類名】特許請求の範囲
【補正対象項目名】全文
【補正方法】変更
【補正の内容】
【特許請求の範囲】
【請求項１】
仕掛けを投げ竿で投入した道糸に取り付ける枝ハリスの枝ハリス着脱自在具であり、前記枝ハリスは枝ハリス着脱自在具と、より戻しと、ハリスと、上記枝ハリスの先端部に取り付けた係止具をもつて、主構成としており、
上記枝ハリスの着脱自在具が、スナップ部を有する線材体に枝ハリス止め体で止め得るリング穴部を設け、上記リング穴部には道糸を挿入出来る間隙を設けたものであることを特徴とする枝ハリスの着脱自在具。
【手続補正３】
【補正対象書類名】図面
【補正対象項目名】図１
【補正方法】変更
【補正の内容】
【図１】
2013176352.tif 000014
【手続補正書】
【提出日】平成25年7月17日(2013.7.17)
【手続補正１】
【補正対象書類名】明細書
【補正対象項目名】全文
【補正方法】変更
【補正の内容】
【発明の詳細な説明】
【技術分野】
【０００１】
すずき（はね）ぶり（はまち、）さわら、かんぱち，ひらめ、しまあじ、等の沿岸回遊大型中型魚の、釣り具に、関する技術である。
【背景技術】
【０００２】
針に餌となる小魚（いわし・さば・あじ・このしろ等々）を鼻掛け・背掛けで付けて、２〜7ｍ上に浮きを付け海中に投入し、後は魚が勝手に動く、釣り人は他人の仕掛けともつれるのを監視すると言う釣り方が一般的なものである。
【先行技術文献】
【特許文献】
【０００３】
【特許文献１】特開２０００−１５７１２４
【特許文献２】実登３０９４５０１
【特許文献３】実開昭５７−１６７６７７
【特許文献４】実登３１３６０４５
【特許文献５】実開平３−２７９７２
【０００４】
すずき（はね）ぶり（はまち、）さわら、かんぱち，ひらめ、しまあじ、等の、沿岸回遊大型魚の、泳がせ釣法に、関する先行技術文献は見つける事は出来なかったが、道糸に、着脱自在に出来る糸用係着部の構造に関する技術（例えば特許文献１）がある。
スナップサルカンで現在では一般的に販売されている物でスナップ底部の略Ｕ字形の部分をチュウブで被った技術（例えば特許文献２）がある。
ラセン式簡易中通し浮きで、道糸の途中から着脱自在にした技術（例えば特許文献３）がある。
ルァー用フックのアイにスナップの開閉側と反対側のリングを通した技術（例えば特許文献４）がある
浮子本体に糸部の太さより大きい挿通穴を有する係止部を形成し、糸部への着脱を自在にした技術（例えば特許文献５）がある
【発明の概要】
【発明が解決しようとする課題】
【０００５】
鼻掛け・背掛けした餌を付けて、２〜７ｍ上に浮きを付け海中に投入し、後は魚が勝手に動くので、釣り人は他人の仕掛けと自分の１〜３本投入している、仕掛けどうしがもつれるのを監視すると言う釣り方が一般的なものであるが、海面には殆どの場合潮流・風等がありこれらを受けて餌の小魚は広範囲に動き回るので、釣り人一人が、１本の仕掛けを使用した場合、占有する釣り場所は、岸壁の長さで竿１本に付き少なくとも１０ｍは必要となる。
この泳がせ釣りで、例えば３００ｍある岸壁で、釣り人一人が、２本の竿を使用した場合、最大で１５人しか釣ることが出来ず、釣るためには場所の確保が一番で、場所取りのため、日の出より１〜２時間早く行かなければならない、これを釣り人一人が、１本の竿を使用した場合、占有する釣り場所は最少で１本に付き６ｍ程度にすることが出来るので、同じ場所で釣りを楽しめる人数は最大で２５人となる、この釣法を可能にする、仕掛け及び用具を構成する部品を提供する事が課題である。
もちろん浮き釣りと同等かそれ以上の釣果が得られる（１か月とかの平均値で）ことも
必須課題である。
【課題を解決するための手段】
【０００６】
第一の発明は仕掛けを投げ竿で投入した道糸に取り付ける枝ハリスの枝ハリス着脱自在具であり、上記枝ハリスの着脱自在具（８ａ）が、スナップ部（Ｓａ・Ｓｂ）を有する線材体にリング穴部（Ｈ）を設け、上記リング穴部には道糸を挿入出来る間隙（Ｓ）を設けたものであることを特徴とする枝ハリスの着脱自在具（８ａ−４・８ａ−５・８ａ−６・８ａ−９）を提供する。
【０００７】
道糸の先端に潮流と、餌となる小魚の力で簡単に動かない錘を付け（１）、竿先に向かって順に、魚が掛かった時抜け落ちないストッパーになる物を付け（２）、しもり（３）、浮き（４）、しもり（５）、浮き止め（６）、枝ハリス止め体（７）、｛前記（６）と（７）の間隔は、少なくとも枝ハリスの長さの１．１倍は必要、｝竿の先端ガイド（９）に至る仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８Ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、魚信を待つ釣法にし、上記釣法に使用する釣り具を発明して解決した。
【発明の効果】
【０００８】
発明が解決しようとする課題の、釣り人一人が１本の仕掛けを使用した場合、占有する釣り場所は最少で１本に付き少なくても６ｍ程度にすることが出来た（船釣りの場合も同様に占有海面を少なくとも4割程度にすることが出来た）。
【０００９】
釣り人が他人の仕掛けと自分の１〜２本投入している、仕掛けどうしがもつれるのを監視する回数（及び時間）が少なくて済むように成った。
【００１０】
試釣の結果では、浮き釣りと本願発明の釣法とでは、後者の方が優位であった。
【００１１】
餌の小魚の深さ及び前後方向の移動範囲が広く（浮き釣りに対して深さ方向の移動範囲が特に広く、設定次第では海底からの海面迄の深さ１５ｍ程度であれば、海底付近から水面近くまで生き餌が動き回ることが可能と）成った。
【図面の簡単な説明】
【００１２】
【図１】（イ）この仕掛けを投入し、道糸を張って魚信を待つ釣法の概略全体図である。        （ロ）枝ハリス部を付けない状態で海中に投入した図。        （ハ）竿を道糸に手が届く位置に（倒）し、（８）の枝ハリスと生き餌（８ｄ）を取りつけた図。        （ホ）すべてをセットして魚信を待つ状態図。
【図２】（イ）枝ハリス着脱部と枝ハリス止め具の分離型８ａ−１タイプ図。        （ロ）同上枝ハリス着脱部のＡ−Ａ・Ｂ−Ｂ断面図。        （ハ）枝ハリス着脱部と枝ハリス止め具の分離型８ａ−２（８ａ−３）タイプ図。                    （ホ−１）同上枝ハリス着脱部の道糸が貫通可能な間隙（Ｓ）に弾性部（Ｄ）を持つタイプのＣ−Ｃ・Ｄ−Ｄ断面図。          （ホ−２）同上枝ハリス着脱部の道糸が貫通可能な間隙（Ｓ）に弾性部（Ｄ）を持たないタイプのＣ−Ｃ・Ｅ−Ｅ断面図。
【図３】（イ）枝ハリス着脱部の略円板状の弾性性状を有する樹脂製で円周外面にヒンジ部と弾性ロック部を持つタイプの開口状態図。        （ロ）同上弾性ロック部噛み合う直前図。        （ハ）同上弾性ロック部がロックした図        （ホ）（ハ）図と枝ハリス着脱部のスナップサルカンを道糸にセットした図。        （ヘ）別Ａタイプの例図。弾性性状を有する樹脂を主材とする着脱自在具部（８ａ）の樹脂に軟体金属（アルミニューム・真鋳・ステンレス）をインサート成形しスナップサルカンから係止具に至る枝ハリス（８）を一体化したイメージ図、      （ト）別Ｂタイプの弾性ロック部の例図。弾性の凸を／弾性の凹もしくは弾性の凸／貫通穴（Ｒｋ−２）を組み合わせた、ロック機構のＫ−Ｋ断面イメージ図
【図４】（イ）枝ハリス着脱部と、玉体とは別体のスナップ部を有する着脱自在部の一体型８ａ−７のタイプ図。        （ロ）枝ハリス着脱部と玉体とは別体のスナップ部を有する着脱自在部の一体型８ａ−８のタイプ図。        （ハ）８ａ−８のタイプのＦ−Ｆ断面図。
【図５】（イ）枝ハリス着脱部のスナップ部を線材で構成した８ａ−９のタイプ図。        （ロ）枝ハリス着脱部のスナップ部を線材で構成した８ａ−１０のタイプ図。                                                            （ハ）枝ハリス着脱部のスナップ部を線材で構成した８ａ−１１のタイプ図。
【図６】（イ）枝ハリス着脱部と枝ハリス止め具の一体型で中ゴマを持つ８ａ−１２のタイプ図。              （ロ）同上枝ハリス着脱具を道糸に着脱出来る状態図。        （ハ）中ゴマを、道糸を着脱出来る位置に回した枝ハリス止め具部分の拡大図。                      （ホ）同上枝ハリス着脱部Ｇ−Ｇ断面図。
【図７】枝ハリス着脱部に接続している錘の、両端部内径入り口側を大径としたテーパーを設けた（８ｅ−１）錘。の部分断面図
【図８】（イ）枝ハリス着脱部を線材で構成した８ａ−４の装着手順図。        （ロ）枝ハリス着脱部を線材で構成した枝ハリス部８ａ−４タイプ図。        （ハ）枝ハリス着脱部を線材で構成した枝ハリス部８ａ−５タイプ図。        （ホ−１）枝ハリス着脱部を線材で構成した８ａ−６のタイプ部分断面図。（ホ−１〜３）枝ハリス着脱部を線材で構成した８ａ−６タイプの装着手順図。
【図９】（イ）枝ハリス全体の１例図で、トリプルフック２個を針先部が向い合せにセットし、８ｃ−２を遊動にした仕掛け図｛この場合枝ハリス着脱部は８ａ−１〜８ａ−１３の何れかとの組み合わせで８ｅ・８ｆ・Ｙは取り付けられ、ハリス８ｂ−１で連結されている、（ロ）〜（ヌ）迄は同じで、記載は省略している｝。        （ロ）枝ハリス全体図の針部のトリプルフック2個の前後を針先部が向い合せにセットした、二股吊り仕掛け図。        （ハ）枝ハリス全体図の針部をトリプルフックとシングルフックを直列にセットした仕掛け図。        （ホ）枝ハリス全体図の針部のトリプルフック１個を取り付けた仕掛け図。          （ヘ）枝ハリス全体図の針部のシングルフック１個を取り付けた仕掛け図。        （ト）枝ハリス全体図の針部のシングルフック２個を針先部が向い合せにセットした二股吊り仕掛け図、        （チ）枝ハリス全体図の針部のシングルフック２個を直列にセットした仕掛け図。（リ）枝ハリス全体図の針部のダブルフック２個を直列にセットした仕掛け図。（ヌ）シングルフック、ダブルフック、トリプルフックの何れかを遊動とし、遊動部にパイプを入れた仕掛け図。        （８ｃ−１イ〜ホ）トリプルフックにハリス切れ緩衝パイプ結束要領図。
【図１０】（イ）大型魚用釣り針（８ｃ）のハリスとの結び方の１例「南方延縄結び」（ロ）「カン付南方延縄結び」の結び手順の図
【図１１】海中での生餌の生きの良い時の泳ぐ状態図
【発明を実施するための形態】
【００１３】
本願発明の釣法を可能にしたのは、枝ハリス着脱自在具（８ａ）と着脱自在具から係止具に至る部分の発明を主とし、更に付帯発明を積み重ねたことで、海底の障害物（磯の海底の岩、岩に付着している貝類及び海藻、捨てられ海底に落ちている大型ごみ及び枝付流木が沈殿し海底に半分埋まった物等）に枝ハリスを絡まらなくした事、水深方向の生餌魚の移動可能範囲を広くし得た事（釣り人は一般的に棚を広げたと言う）、魚が掛かり取り込むまでには、数回〜弐十数回の魚の強烈な引き込みが有るが、その強烈な引き込みに耐えられる仕掛けにした事、更に魚は掛かるが取り込む過程で切られる回数を非常に少なくした数点の発明等々で、初心者でも陸部（船）から大型魚か釣れる、泳がせ釣り仕掛け、及びその仕掛けを使った釣り方（泳がせ釣り方法）が発明出来、その実施形態としては、次段落で記述する方法がよい。
【００１４】
従って実施するための形態として、竿からリール・道糸・枝ハリス・浮き・錘に至るまでを対象魚類別（例えば河口付近でのスズキ・ブリ等、更に外洋に近い付近でのブリ・ヒラメ又は黒潮直接当たる付近での、ヒラマサ・ヒラメ・カンパチ・シマアジ等・親潮が直接当たる付近での鮭等々）のセットで販売するのが良い、各パーツを１パッケージとして、組み着けは購入者にＣＤ・ＤＶＤ・ＢＤ等で解説し、手順書として添付する方法もあるし、
【００１５】
基本部品（竿・道糸・リール）のみをセットとして、その他のパーツを数種類解説書付で、購入者にパッケージ単位で選ばせて、組み着けは購入者にＣＤ・ＤＶＤ・ＢＤ等で解説し、手順書として添付する方法もあるが、
少し経験のある人向きには、リール・道糸・枝ハリスのセットか又は枝ハリス（８）のみか、枝ハリスの着脱自在具（８ａ）のみを、部品として販売するのが好ましい方法である。
以上が、推奨する実施するための形態である。
【００１６】
大型魚が釣れる、泳がせ釣り仕掛けを使った釣り方（泳がせ釣り方法）に付いては、試作品等か完成した段階でビデオ撮影しＣＤ・ＤＶＤ・ＢＤ又は本で販売するのが、好ましい形である。
【実施例】
【００１７】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１８】
道糸の先端に潮流と、餌となる小魚（いわし・さば・あじ・このしろ・わち・さより・イカ・等々）の力で簡単に動かない錘（１０〜１００号）を付け（１）、竿先に向かって順に、魚が掛かった時抜け落ちないストッパーになる物を付け（２）、しもり{さかなのあがきの力で破断しない物で引き上げる時、浮きの（１）の方向の抜け止めとなる物}（３）、浮き（４）、しもり｛道糸の太さに適合した物で海中で（６）の浮き止めで止まり前記浮きを（６）の位置に海中で保持出来る物｝（５）、浮き止め｛一般的に使用されている市販品で良く（５）のしもりで浮きの上昇端を決められるもの｝（６）、枝ハリス止め体｛（６）の浮き止めよりスライドし難く（８）の枝ハリス着脱具が、泳がしている餌の力で（１）の方向に移動しない物、もしくは移動し難く出来る物｝（７）、前記（６）と（７）の間隔は、少なくとも枝ハリスの長さの１．１倍は必要、｛この仕掛けでは（６）と（７）の間隔は４．５ｍ｝、竿の先端ガイド（９）に至る仕掛けで、釣り魚がいる筈の点より（１）〜（７）迄の距離をプラスした点付近を目標に仕掛けを投げ竿にて投入する、
次に竿を竿の先端ガイド（９）直近の道糸に手が届く位置に（倒）し、竿の先端ガイド（９）より前方の道糸を取り、枝ハリス（８）を取りつけ、枝ハリス先端部の係止具（８ｃ）に泳がせ釣りの生き餌（８ｄ）を掛け海中に降ろす、次に竿を立て道糸が張るまでリールで巻き、置き竿とし、魚が掛かった時道糸が切れない対策｛図１（イ）の（１２）・（１３）・（１５）・及びリールのドラッグを緩める｝をして、（１６玉網）又は（１７ギャフ）を近くに置いて魚信を待つ、泳がせ釣り方法で使用する釣り具。
【００１９】
図１の説明をすると枝ハリス部を付けない状態で海中に投入した図｛図１（ロ）｝であり、次に竿を竿の先端ガイド（９）に手が届く位置に（倒）し竿の先端ガイド（９）より前方の道糸を取り（８）の枝ハリスを取りつけ、枝ハリス先端部の係止具に泳がせ釣りの生き餌（８ｄ）を掛け、海中に降ろす前段階の図｛図１（ハ）｝であり、次に生き餌（８ｄ）が付いた枝ハリス（８）を海中に降ろし、竿を立て道糸が張るまでリールを巻き、置き竿とした図｛図１（ホ）｝であり、魚が掛かった時、道糸及びハリスを切られない対策 をして魚信を待つ釣法｛図１（イ）｝である。（１２は魚に竿ごと海中に持っていかれない為の重し）・ （１３は魚が掛かった時の強烈な引き込みによる糸切れを防止する緩衝具）・ （１４は少し離れた位置で、ほかの事をしていても掛ったことを知らせる物、例えば音を出すもの）・ （１５は竿掛け保持具)等々をセットした図｛図１（ホ）｝、（前記１２・１３・１４・１５はこの釣法で採用している方法であって、釣り具セットとして販売する時は、オプション的存在である)
｛図１（イ）｝は、この仕掛けを投入し、道糸を張って魚信を待つ釣法の概略全体図である
【００２０】
前記この仕掛けを投入した後、餌の魚が岸側（竿の先端ガイド９方向）に来るときは、水面付近で道糸を中心として抵抗力の掛かる方向へキラキラと魚体をキラメカシながら泳ぐ（この場合魚は竿先方向即ち浅くなる方向に泳ぐ）、又沖側に（錘１の方向）に出るときは、枝ハリス止め体（７）までの間でいきよいが良い時は、道糸を中心として抵抗力の掛かる方向(主に左右及び深い方向に道糸を「くの字」に曲げながら)へキラキラと魚体をキラメカシながら泳ぐ（図１１）、このキラキラと魚体をキラメカシながら泳ぐ事が集魚効果に繋がっている。
【００２１】
投げ竿（１１）を用いて錘（１）を投入後、着脱自在な着脱具を有する移動自在の枝ハリス（８）を取りつけ、更に前記係止具（８ｃ）に生餌（８ｄ）を取りつけ投入し魚信を得る、泳がせ釣り方法で
枝ハリス（８）を取り付けないで、錘（１）を投入し｛図１（ロ）｝、次に竿を竿の先端ガイド（９）に｛道糸（１０）｝に手が届く位置に（倒）し竿の先端ガイド（９）より前方の道糸を取り、枝ハリス（８）の枝ハリス着脱具（８ａ）を、前記道糸（１０）に取りつけ、枝ハリス先端部の係止具（８ｃ）に泳がせ釣りの生き餌（８ｄ）を掛け海中に降ろす準備が出来｛図１（ハ）｝、次に生き餌（８ｄ）が付いた枝ハリス（８）を海中に降ろし、竿を立て道糸が張るまでリールを巻き、置き竿とし｛図１（ホ）｝、魚が掛かった時、道糸及びハリスを切られない対策｛図１（イ）の（１２）・（１３）・（１５）・及びリールのドラッグを緩める｝をして｛図１（ホ）｝、魚信を待つ釣法｛図１（イ）｝で、上記釣法に使用する釣り具の上記枝ハリス着脱具（８ａ）から係止具（８ｃ）に至る枝ハリス体（８ａｃ）とで構成した枝ハリス（８）である。
【００２２】
（８）の枝ハリスはこの仕掛けを実現可能にし、かつ、浮き釣りに対して同等かそれ以上の釣果にし得た部分であり、着脱自在具（８ａ）と、より戻しと、生餌（ｄ）を係止する係止部（８ｃ）と、それらを連結するハリス（８ｂ−１）を、主構成品とし、
発明が解決しようとする課題を、解決するキーポイントとなった部分なので、枝ハリス部（８）、を分割して記述する。
【００２３】
（８ａ）この部分がこの釣りで、浮き釣りに対して同等かそれ以上の釣果にし得た部分であり、それぞれのパーツは市販されていたり、当業者もしくは釣りキチなら容易に想到し得る物であるが、それに少しずつの発明を組み合わせ（積み重ね）て、新しい機能（同じ釣り場所で浮き釣りに対して同等かそれ以上の釣果にし得た）をもたらした物で、代表となる部品を図示するが、道糸の通る位置・ストッパーの位置・長さ・大きさは、釣り具がわかる人ならその図を見て、簡単に想到出来、又変更出来る部分の記載は省き代表例で記載している。
【００２４】
枝ハリス（８）の着脱自在具部（８ａ−１２）は、スナップ（Ｓａ−６．Ｓｂ−６）部を有する線材体と、円周外壁部に凹部を有し、かつ、端面に凹凸部（Ｍ−２）を有する略円板の中駒（８ａ−ｐ）を設け、前記線材体は、中駒（８ａ−ｐ）に設けた円周外壁部の凹部に嵌入して中駒を回動自在に保持し、前記略円盤形状の中駒には中心部貫通穴（Ｈ）を有し、略円盤体側面より上記貫通穴に接続するスリット（ｗ・割れ目）を有し、上記スリットには略Ｖ字状の案内部を有し、案内部奥に道糸が貫通可能な間隙（Ｓ）を形成した、ことを特徴とする枝ハリス着脱自在具（８ａ−１２）であって、
スナップ（Ｓｂ−６）部を内側に押えてスナップ（Ｓｂ−６）部を開口し端面に凹凸部（Ｍ−２）を有する略円盤の中駒（８ａ−ｐ）のスリット（ｗ・割れ目）部が真下の線材体くびれ部に位置する様に中駒を回動させ、道糸（１０）を前記スナップ（Ｓｂ−６）部の開口部から内側に入れ、更にスリット案内部奥の間隙（Ｓ）から中心部貫通穴（Ｈ）に挿入し、中駒を回動させ｛端面に凹凸部（Ｍ−２）を有している｝（図６・ロ）スナップ（Ｓａ−６．Ｓｂ−６）部を係合閉止し、線材体の弾性力で中駒の回動をロックする（図６・イ）構造である。
【００２５】
上記枝ハリスの着脱自在具（８ａ）のスナップ部Ｓａ・Ｓｂで、弾性線材体を主材とした構造で、判り易い代表例で言えば「安全ピン」で弾性線材体Ｓｂとそれを受けるスナップ受け板金部Ｓａとで構成し、本願発明ではＳａ・Ｓｂが係合された状態から弾性線材体Ｓｂに力を加え、前記係合状態を解除してＳａ・Ｓｂ間に開口部を設け、前記開口部から道糸（１０）を出し入れする着脱自在部に用いている釣り具で、以降スナップ、及びスナップ部の、の説明は省略する。
【００２６】
第一の発明は仕掛けを投げ竿で投入した道糸に取り付ける枝ハリスの枝ハリス着脱自在具であり、
スナップ（Ｓａ・Ｓｂ）部を有する線材体にリング穴部（Ｈ）を設け、前記リング穴部には道糸が貫通可能な間隙（Ｓ）を設けた、ことを特徴とする枝ハリスの着脱自在具（図５、図８）であって、
上記リング穴部（Ｈ）は道糸直径の２〜４倍で好ましくは道糸直径の２〜３が良い。
道糸の挿入は上記スナップ部の開口部より道糸を挿入し、ストッパー付スナップサルカンのスナップ線材部（８１−２）の線材を内側に１回転させて設けた枝ハリス止め穴（Ｈ）直近の間隙（Ｓ）より枝ハリス止め穴（Ｈ）にいれ上記道糸を挿入時に開口したスナップ部を閉止する。
上記係止部より道糸を外す時は道糸を枝ハリス止め穴（Ｈ）の直近の間隙（Ｓ）より抜出し、スナップ部｛（Ｓａ・Ｓｂ）、（道糸への着脱自在部）｝を有する線材体内部に道糸を引きだし、スナップ部を開口し道糸を外す。
魚が掛かり逃げ回る過程で、上記枝ハリス止め穴（Ｈ）から道糸が抜け出てもスナップ部が閉止しているので道糸（１０）は道糸への着脱自在部内に係止されており、掛かった魚は逃がさない構造に成っている事を特徴とする、枝ハリスと枝ハリスの着脱自在具である、
【００２７】
図８は枝ハリス（８）の着脱自在具（８ａ）の枝ハリス止め穴（Ｈ）をストッパー付スナップサルカンのスナップ線材部（８１−２）の線材を内側に１回転させて設けた物で（図８イ、ロ）、図８（イ）は（ロ）に記載の枝ハリス着脱自在具（８ａ−４）の装着手順を記載した物で、（ａ）はスナップ部を閉じている図、（ｂ）はスナップ部を開いて道糸の一方（１０−１）と道糸の他方（１０−２）の中間部をスナップの開口部よりスナップの内部に通した図、（ｃ）は線材をスナップの内側に１回転させて設けた枝ハリス止め穴（Ｈ）部分の下端部（図面で見て）迄開口部に続く線材に沿って押し込んだ図、（ｄ）は（ｃ）で押し込んだ道糸の一方（１０−１）を下方に（図面で見て）引き（ｅ）で下方に（図面で見て）引いた道糸の一方（１０−１）を開口部よりスナップの外部に出し、（ｆ）で道糸の一方（１０−１）と道糸の他方（１０−２）をスナップの開口部を閉じ直線に成るようにすると、（ａ）の向きと逆方向に反転して枝ハリス止め穴（Ｈ）に道糸（１０）が入り、竿の先端方向の海面部から枝ハリス止め体（７）、の間をスライド出来る様になる（図８、ロの状態）。
道糸から前記枝ハリス着脱自在具（８ａ−４）を取り外すのは前述手順の逆にすれば良い。
【００２８】
図８（ハ）は図８（イ）又は（ロ）に記載の、線材をスナップの内側に１回転させて設けた枝ハリス止め穴（Ｈ）部分を、スナップの外側に１回転させて設けた物で、｛枝ハリス着脱自在具（８ａ−５）｝着脱手順は前段落に記載の要領に順じているので、記載を省略する。
【００２９】
図 ２の枝ハリス（８）の着脱自在具の着脱自在部であって、図２（イ）の８ａ−１は、略球形状体の玉体（Ｚ）に一箇所の略中心部貫通穴｛道糸（１０）が通る軸線方向の穴（Ｈ）｝を有し、略球形体側面より道糸（１０）が通る軸線方向の穴（Ｈ）迄の割れ目(スリット、Ｗ）を設け、前記割れ目(スリット、Ｗ）には略Ｖ字状の案内部を有し、案内部奥に道糸が貫通可能な間隙（Ｓ）を形成し、割れ目の入り口にはリップ部（Ｔ）を設け割れ目位置を認識し易くし、更に着脱時に｛図  ２（ロ）のＡ−Ａ断面図｝
着脱を容易にする弾性部（Ｄ）と枝ハリス止め玉を指でつまみ易くする、略平坦部を前記略球状体の玉体（Ｚ）の両側に設け、更に魚か掛った時枝ハリス止め体（７）を動き難くするテーパー（ＴＰＨ）を、道糸（１０）が通る軸線方向の穴（Ｈ）の枝ハリス止め体（７）側（もしくは両側）に設け、｛図  ２（ロ）のＢ−Ｂ断面図｝、道糸に前記８ａ−１を嵌め込み、更に上記玉体とは別体のスナップ部を有する着脱自在部（８ａｂ）のストッパー付スナップサルカン｛８ａ−１〜３、８ａ−１３が通り抜けないもの、（８１）であるが、道糸に着脱自在に出来るものなら良く、ストッパー付スナップサルカンには拘らないが（Ｙのより戻し機能が必ずついたものがより好ましい）、以後のストッパー付スナップサルカンの記載は同じ意味を含んでいるので、此の括弧内の再記載は省略する。｝とストッパー付スナップサルカンから係止具に至る枝ハリス体（８ａc）を別体で後続して、竿を倒して｛図１（ハ）の状態にする｝ストッパー付スナップサルカンのスナップ部の開閉により装着する、枝ハリス（８）と枝ハリスの着脱自在具（８ａ）｛道糸を張れば図１（イ）の状態になる｝。
この段落に記載の略球状体の玉体（Ｚ）は、一例として玉で記載しているが形状には拘らなく、板状体・円板体・円盤体・四角・八角等の多角形の立方体や略楕円形を含む丸みを持つ形状の物でも、枝ハリス止め体（７）で、枝ハリス着脱自在具（８ａ）を有する枝ハリス（８）が、止まる機能を有する物なら、すべて本願発明に含む。
この段落に、道糸（１０）が通る軸線方向の穴（Ｈ）を設け、道糸が貫通可能な間隙（Ｓ）を設ける、と記載しているが、前記道糸が貫通可能な間隙（Ｓ）は、枝ハリス着脱自在具（８ａ）の穴（Ｈ）に道糸を嵌め込み、枝ハリス着脱自在具（８ａ）が道糸を移動自在に係止された状態時で、図１１に記載の道糸の形状、すなわち道糸を餌の魚（８ｄ）が抵抗力の掛かる方向に引っ張るので、その時の道糸は「くの字」になっていて、餌の魚（８ｄ）が枝ハリス止め体（７）方向もしくは竿先方向へ進もうとする時、穴（Ｈ）に設けた間隙（Ｓ）に食い込みその位置から枝ハリス止め体（７）、方向へ進めなくならない間隙（Ｓ）にして設ける事が、好釣果に繋がる、｛本願発明に記載の枝ハリス着脱自在具（８ａ）すべてに設ける、道糸（１０）が通る穴（Ｈ）の道糸が貫通可能な間隙（Ｓ）は、海面から枝ハリス止め体（７）間は、餌の魚(８ｄ)がどのような方向に引張つても、全て、間隙（Ｓ）に道糸（１０）が食い込まなく、スムースにスライドし得る間隙（Ｓ）を有する物が好ましい｝。
【００３０】
前述の割れ目の入り口のリップ部（Ｔ）は割れ目の方向、位置を判り易くするものであり、又着脱を容易にする弾性部Ｄと略球状体の玉体（Ｚ）の両端に指でつまみ易くする略平坦部｛図２（ロ）のＡ−Ａ断面図｝は設け無くても良く、略平坦部は操作性を良くする物であり、着脱を容易にする弾性部（Ｄ）を設けない場合は、道糸の弾性力（道糸をつぶす方向の力）での装着であり道糸の太さと道糸（１０）を嵌め込む割れ目の軸線方向の穴（Ｈ）直近の間隙（Ｓ）の設定が狭くなる、言い換えれば道糸（１０）の直径により適合する略球状体の玉体（Ｚ）の種類が多くなる。
【００３１】
前項に記載のリップ部（Ｔ）と
弾性部（Ｄ）と略球状体の玉体（Ｚ）の両端に指でつまみ易くする略平坦部を設けていないのが、図２（ハ）と（ホ―２）の（Ｃ−Ｃ断面図）・（Ｅ−Ｅ断面図）に記載の、枝ハリスの着脱自在具の８ａ−３で、割れ目の位置を軸線方向穴（Ｈ）の側方向に設け、前記穴（Ｈ）に貫通させ、穴（Ｈ）直近の間隙（Ｓ）部に弾性部（Ｄ）を設けた物が図２（ハ）と（ホ―１）の（Ｃ−Ｃ断面図）・（Ｄ−Ｄ断面図）に記載の、枝ハリスの着脱自在具の８ａ−２であり、この図｛図 ２（ハ）と（ホ―２）の（Ｃ−Ｃ断面図）・（Ｅ−Ｅ断面図）、図 ２（ハ）と（ホ―１）の（Ｃ−Ｃ断面図）・（Ｄ−Ｄ断面図）｝には魚か掛った時枝ハリス止め体（７）、を締めこむ作用をするテーパー（ＴＰＨ）を道糸（１０）が通る軸線方向の穴（Ｈ）の枝ハリス止め体（７）側・（もしくは両側）に設けていないが、前記テーパー（ＴＰＨ）を設けることも本願発明に入っている。
これ以降枝ハリスの着脱自在具の記載では、前記テーパー（ＴＰＨ）を設けることも出来る道糸（１０）の通る部材を使用している着脱自在具には、図示していなくても、又記載していなくても、前記テーパー（ＴＰＨ）を設けた物も含んでいる。
【００３２】
前記略球状体の玉体（Ｚ）の道糸（１０）が通る軸線方向の穴（Ｈ）の穴芯の位置を変えて（偏芯させる）穴芯と略球状体の玉体（Ｚ）の外壁部との肉厚を薄くする方向に変える事でも、又は材質の弾性度を変える事でも対応でき本願発明に含む。
この段落に記載している事項は全枝ハリス（８）構造の派生例として適用する｛但し金属線材のみの使用、例えば図５の（イ）、図６の場合や図８の線材部が弾性部（Ｄ）の働きをしている場合等は除く｝
【００３３】
着脱自在具（８ａ）の着脱部は、着脱時に道糸に傷をつけないものが好ましい。（道糸の傷部に集中応力が掛かり、糸切れにつながる）
例えば図４のようにストッパー部やスナップ部を受けるシャープなエッジを持った部分（板金加工部）に、樹脂コーティングをして設け、線材部に可塑性樹脂のパイプ（Ｐ１）を挿入し、かしめるとか、線材部と板金部を別々に樹脂コーティングし組み付ける等、糸切れにつながる傷を、つけない対策を（部分的でも良い）するのが好ましい、
【００３４】
又この線材部を可塑性樹脂コーティングすることで実登３０９４５０１（特許文献２）に記載の樹脂のパイプの挿入と同じ効果、即ち大型魚が食いつき、強烈な引き込みがあった時の糸切れ防止機能を有する事になる。
【００３５】
前記弾性材料（エラストマー）又は可塑性材料のパイプを通して覆うか、可塑性樹脂コーティングをしたパイプを挿入してかしめるとか、樹脂コーティング等が必要な理由は、対象魚をブリとして記述するが、８０ｃｍ〜１ｍオーハーで１０ｋｇ前後の魚であるので、当然掛かると数十メートルは逃げ回るので、少なくて６ｍ間隔で釣っている人の竿の仕掛けの何本かに絡む、絡んだ場合掛かっていない自分の仕掛けで、釣れている人の道糸に傷を付け、糸切れとなり逃がしてしまう・・・自分が釣れていて他人の仕掛けで切られるケースもある、同じ釣り場で十数人が釣りをしていても、２〜７日間一匹も釣れない事が多々ある中、自分にしても他人にしても、掛った魚を仕掛けの悪さで逃がしてしまうのは避けたい為である。
【００３６】
沿岸回遊大型魚の釣り具の、枝ハリス（８）と枝ハリスの着脱自在具（８a）であって、上記枝ハリス（８）は枝ハリスの着脱自在具（８a）の略球形状の玉体（Ｚ）と、上記玉体とは別体のスナップ部を有する着脱自在部（８ａｂ）と着脱自在部から係止具に至る枝ハリス体（８ａｃ）とで構成されており、
上記玉体は、略中心部貫通穴（Ｈ）を有し略球形体側面より上記貫通穴に接続するスリット（Ｗ）を有し、上記スリットには略Ｖ字形状の案内部を有し、案内部奥に道糸が貫通可能な間隙（Ｓ）を形成した形状をしていることを特徴とする、枝ハリスと枝ハリスの着脱自在具（８ａ−１・８ａ−２・８ａ−３）。
【００３７】
この枝ハリス着脱自在具（８ａ−７・８ａ−１１）、の内８ａ−７を代表例とした、道糸への着脱方法は（図４）、閉じているスナップサルカンのＳｂ−４を内側方向に押してＳａ−４からＳｂ−４を外して（イ‐ａ）からスナップ部が開口した（イ‐ｂ）の様にして、前記開口したスナップ部から中に入れ、略球体部に設けている間隙（Ｓ）から道糸（１０）を嵌め込み（イ‐ａ）の状態に戻すことで、道糸へ装着出来る、道糸から外す時は、前述の逆方法で行う。８ａ−１１の道糸への着脱方法も、同じ要領なので省略する。
【００３８】
着脱自在具（８ａ−８）｛図５・（ロ−１）・（ロ−２）｝は、前記着脱自在具（８ａ−１０）の線材体がスナップサルカン部に変わったのみで、又枝ハリス着脱自在具（８ａ−８）の道糸への着脱要領は前段落の記載と同じなので省略する。
この段落の記載は略球形体としているが、枝ハリス止め体（７）で、枝ハリス着脱自在部（８ａ）を有する枝ハリス（８）部が、止まる機能を有する物なら、略球形体に拘らず、例えば板体・円板体・円盤体・４角、６角等多角形の立方体や、略楕円形を含む円弧を持つ形状で有っても良い。
【００３９】
枝ハリス（８）の着脱自在具部（８ａ−６）であって、スナップ（Ｓｂ−５）部を有する線材体に枝ハリス止め体（７）で止め得るリング穴部（Ｈ）を設け、前記リング穴部には道糸が貫通可能な間隙（Ｓ）を設け、前記線材体の外側に、スナップ（Ｓｂ−５）部を受ける受け穴（Ｓａ−５）部を有する略楕円筒（８ａ−６１）を設け、前記線材体に設けた枝ハリス止め穴（Ｈ）の線材下部を前記略楕円筒の上下動の上端ストッパーとし、下端ストッパー（８ａ−６２）をスナップ（Ｓｂ−５）部を有する線材体に設けた物で、
図８（ホ−１）は略楕円筒（８ａ−６１）のスナップ（Ｓｂ−５）部を受ける受け穴（Ｓａ−５）部が、スナップ（Ｓｂ−５）部に嵌まった状態図で、前記下端ストッパー（８ａ−６２）の凸部を両側から内側に押えて略楕円筒（８ａ−６１）を下方向に動かすと、スナップ受け穴（Ｓａ−５）部からスナップ（Ｓｂ−５）部が外れ、略楕円筒（８ａ−６１）上端部と線材端部との間に出来た道糸（１０）が入り得る開口部から道糸（１０）を入れ、その道糸（１０）を線材体に設けた貫通可能な間隙（Ｓ）から枝ハリス止め穴（Ｈ）に挿入し（ホ−２）、略楕円筒（８ａ−６１）を上端ストッパー｛枝ハリス止め穴（Ｈ）を構成する線材下部｝迄上げるとスナップ（Ｓｂ−５）部とスナップ部受け穴（Ｓａ−５）部が嵌まりロック状態となる（ホ−３）。
【００４０】
図３の枝ハリス（８）の着脱自在具部（８ａ−１３）は弾性性状を有する樹脂を主材とする着脱自在部（８ａ）は、無数に考えられるがその１例であって、弾性性状を有する円板体の概略中心部に道糸が挿通可能で、かつ、枝ハリス止め体（７）で止め得る穴（Ｈ）を設け、一方の円板体側面より前記挿通可能な穴（Ｈ）迄の切断線を設け切断し、前記切断線を基準とし右若しくは左に少なくとも９０°（最大で１８０°）に切り割り、他方の円板体側面に一部をヒンジ部として切り割らずに残した切り割り片を設け、前記切り割り片と切り割り片の残片とを繋げて設け、前記一方の円板体（切り割り片の残片）側面に弾性の凸（Ｒｋ−１）を、他方の円板体（切り割り片）側面に弾性の凸を／弾性の凹もしくは弾性の凸／貫通穴（Ｒｋ−２）を組み合わせロック機構として設けた（図３・イ・ロ・ハ）、弾性性状を有する樹脂を主材とした物で、更に前記着脱自在具部（８ａ−１３）の竿先端部（９）側にスナップサルカンから係止具に至る枝ハリス（８ａｂ）を別体で後続して設け、
前記８ａ−１３の前記挿通可能な穴（Ｈ）に道糸を嵌め込みロック機構｛（Ｒｋ−１・Ｒｋ−２ａ・Ｒｋ−２ｂ）と（Ｒｋ−２・Ｒｋ−１ａ・Ｒｋ−１ｂ）｝でロックし、更にストッパー付スナップサルカン｛８ａ−１３が通り抜けないもの、（８１）｝から係止具（８ｃ）に至る枝ハリス部（８ａｂ）を、竿を倒して、ストッパー付スナップサルカンのスナップ部の開閉により｛図３（ホ）の状態に｝装着する。
図３へ、は弾性性状を有する樹脂を主材とする着脱自在具部（８ａ）の樹脂に軟体金属体（アルミニューム・真鋳・ステンレス及びそれらの撚り線等）をインサート成形しスナップサルカンから係止具に至る枝ハリス（８）を一体化したイメージ図、図３トは弾性の凸を／弾性の凹もしくは弾性の凸／貫通穴（Ｒｋ−２）を組み合わせたロック機構のイメージ図
【００４１】
８ｂ−１は枝ハリス（８）の着脱自在具部（８ａ−１〜８ａ−１３）と、枝ハリスの先端部の係止具（８ｃ）間を連結するハリス（図９、イ）であつて、ハリスとして使用されている物には、
１． ナイロン・特性として伸び率２０％〜４５％あり、フック（釣り針）やサルカンとの結束部の結束方法によっては大型魚が掛かり引き込む力で伸びて結束部が抜けるので使い慣れない人には推奨出来ない物。
２． フロロカーボン・最近の釣りでのハリスとしては一番普及しているもので、結束部強度ではＰＥ（ポリエチレン  ダイニーマ）に次ぐ強度を持ち更に水中での屈折率１．４２と、水の屈折率１．３３と近く水中では見えにくい素材である。
（この仕掛けではフロロカーボンの１２号を使用している。）
３． ＰＥ（ポリエチレン  ダイニーマ）・現在市販されているラインとしては最強度の物であり、伸び率１．０４で、釣りに持たらすメリットは、感度（当たり等微妙な変化を伝え易い特性を持っている）の良さである、反面弱点としては、耐熱性で、耐熱温度が１４５℃と低く、低い摩擦熱で切れてしまうこと及びラインがしなやかで、絡みやすく、又一度絡むと解き難い事である、この釣法及び仕掛けでは、泳がせている餌の魚の勝手な動きて、浮き釣りでも、この釣法（以後ブッ込み釣りと記する）でも、絡みやすく、特にブッ込み釣りでは、道糸や浮き等に絡み、枝ハリス長さが短くなると餌の魚が弱り死ぬとか烏賊等に食われ易くなり、生餌として役に立たなくなるので、ハリス（８ｂ−１）全部をＰＥとするのは推奨し難い。
４． 以上１〜３を組み合わせたハリスも市販されているが、試釣するに至っていないので、ブッ込み釣りへの使用は本願発明ではコメントできない。
【００４２】
上記枝ハリスの先端部の係止具（８ｃ）の連結方法であって、前記係止具（８ｃ）を枝ハリスの先端部に２個設け、２個の内１個（８ｃ−２）を遊動する様にして設け、前記設けた係止具（８ｃ）の針先の方向を向い合わせにして（８ｃ−１・８ｃ−２で、いずれもダブルフックもしくはトリプルフック）設け、かつ、前記遊動として設けた係止具（８ｃ−２）の遊動範囲部分を、弾性材料（エラストマー）又は可塑性材料のパイプを通して覆うか、可塑性樹脂コーティングをして設け（８ｃ−１ｐ）、かつ、前記２個設けた係止具（８ｃ）間に、大型魚の暴れる力で破断しないストッパー（８ｂ−２ａ）で前記パイプの移動を固定するストッパー（８ｂ−２ｂ）を設けたことを特徴とする枝ハリスの先端部の係止具（８ｃ）との連結方法であって
図９の（ハ）・（チ）・（リ）は２個の係止具（８ｃ）をハリス（８ｂ−１）に直列に結束した、結束方法で（ホ）・（へ）は１個の係止具（８ｃ）をハリス（８ｂ−１）に結束した、結束方法で（ロ）・（ト）は２個の係止具（８ｃ）をハリス（８ｂ−１）に並列（二股吊り・又は提灯吊り）に結束した、結束方法でいずれの方法も幅広く使用されている係止具（８ｃ）、（シングルフック・ダブルフック・トリプルフックのいずれでも）の結束方法であるが、浮き釣りには多少の長所・短所はあっても釣果には大差はないと聞き及んでいる。
しかしこの釣り（ブッ込み釣り）では図１１に記載の様に生餌（８ｄ）は生きの良い時は道糸を「くの字」に曲げながら抵抗のある方向に泳いでいる時が約半分程度あり、この時はハリス｛（８ｂ−１）・このブッ込み釣りではフロロカーボンの１２号を使用している｝もピーンと張った状態で図９の（ハ）（ホ）・（へ）・（チ）・（リ）の結束方法では頭から餌を食いついた時は掛る確率は高いが、（ロ）・（ト）の結束方法では頭からでもしっぽからでも食いつく寸前に前記ピーンと張った状態のフロロカーボン１２号ハリスに当たり、食いつかないケース（竿先をガーンと曲げる当たりが１回だけあるケース）があり、その経験から（イ）の結束方法を発明するに至った。
ブリの試釣の過程で試釣者及びアシストしてくれた人が、ブッ込み釣りで釣り上げたすべての魚をアギと内蔵との接続部を切ってシメテいるので、胃袋の中に入っている魚の状態が自然に判ってきた。
すなわち、ブッ込み釣りで釣り上げられる以前に胃袋の中に入っているのは、尻尾が奥で頭が手前で、魚が餌を追っかけて尻尾から飲み込んだか、もしくはいろんな角度から一撃して鳥が魚を飲み込む様に、銜えなおして尻尾から飲み込んだかは判らないが胃袋の中から出る時に尻尾から出たのは見ていない。
【００４３】
しかし浮き釣りのベテランの人は、口をそろえて魚は頭から食うといっている。
試釣者は初期の釣りでは（ホ）・（へ）から（ハ）・（チ）・（リ）の結束方法であつたが、当たりらしきものは数回あつたがフッキィングしたのは数回の当たりの１／３程度であった。その後（ロ）・（ト）の結束方法に替えフッキィング率が上がり更に（イ）の結束方法（８ｃ−２を遊動にすることで、ハリスがピーンと張れば張るほど、頭からでも尻尾からでも掛りやすい形）、すなわち針先の方向を向い合わせにしたことで、フッキィング率が更に上がつた。
【００４４】
図１０の（イ）はカンを持たないシングルフックの大物対応ノット「南方延縄
結び」で
（ａ）ハリスでハリ側に輪を作りハリの軸を挟む。輪は外掛け結びより大きくとる。
（ｂ）ハリス先端部で、本線と針軸を一緒に針の耳方向へ４回巻き付ける。
（ｃ）ハリス先端を輪の中へ入れ、輪を１回ひねる。
（ｄ）ひねった輪でハリス先端部と針を一緒に潜らせる。これを４回続ける。
（ｅ）まず、本線をゆっくり引き全体を締める。次にハリス先端部を引き、形を整えながら更に締める。ハリスが針の内側から出るように整え、もう一度両方を引き締め、余分をカットして完成。
図１０の（ロ）は、カンを有するフックの大物対応ノット「カン付き南方延縄結び」で
（ａ）ハリスでハリ側に大きめの輪を作りハリの軸を挟む。
（ｂ）ハリス先端をハリ先方向へ曲げ、輪のなかを通す。
（ｃ）ハリス先端をハリ先方向へ曲げ、輪を１回ひねる。
（ｄ）ひねった輪で、ハリス先端部と針を一緒に潜らせる。これを４回続ける。
（ｂ）まず、本線をゆっくり引き全体を締める。次にハリス先端部を引き、形を整えながら更に締め、余分をカット
（ｅ）ハリスを必要な長さでカット。
（ｆ）結び目を回転させて、ハリスがハリ先の反対側に来るように整える。ハリス先端をカンにくぐらせ、ゆっくり引き締めて完成。
【００４５】
上記枝ハリス（８）の着脱自在具部（８ａ）から、枝ハリスの先端部の係止具（８ｃ）間を連結するハリス（８ｂ−１）の両端結束部で、前記両端結束部のハリス（８ｂ−１）に弾性材料（エラストマー）又は可塑性材料系のパイプで覆うか、可塑性樹脂コーティングをして設けた（８ｂ−１ａ）物で、一方の着脱自在具（８ａ）の輪部及び他方の係止具（８ｃ）のカン部を結束する結束部の輪（８ｂ−１ａ）を、前記一方の着脱自在具（８ａ）の輪部及び係止具（８ｃ）のカン部に潜らせ、前記一方の着脱自在具（８ａ）及び他方の係止具（８ｃ）を、前記結束部の輪（８ｂ−１ａ）に潜らせ結束する物で、
前記輪の装着要領は、図９、８ｃ−１・イから８ｃ−１・ホで、８ｃ−１・イで、カン部へ８ｂ−１ａを潜らせ、８ｃ−１・ロで８ｂ−１ａを引出し、８ｃ−１・ハで、ロ、で引出した輪を、前記一方の着脱自在具（８ａ）及び係止具（８ｃ）を潜らせ、８ｃ−１・ホ、の様に成るまで、締め方向に引っ張り装着完了（８ｃ−１・ホ）となる。
魚が掛かり糸切れとなる部分の殆ど（７０％以上）が、枝ハリス（８ｂ−１）の両端結束部で、大型魚用シングルフック及び管部を持つフックの代表的な結び方（図１０）を記載しているが、図で見ると簡単そうであるが、此の結び方をマスターするには少し熟練が必要となり、前記両端結束部のハリス（８ｂ−１）を、パイプで覆ってからの試釣では、両端結束部の糸切れは一度もないので、好ましくはこの段落記載の技術を使用すべきである。
【００４６】
図９、（イ）の結束方法で試釣を続ける約１か月の間に魚が太ったせいか、前記８ｃ−２を遊動にした部分の糸切れを数回経験し、図９（ヌ）の遊動部に弾性材料（エラストマー）又は可塑性材料のパイプを通して（この仕掛けでは内径０．６ｍｍのパイプを使用）パイプ両端をストッパー（この仕掛けでは直径４ｍｍのパール色のビーズ使用）を固着してもうけた、枝ハリスの先端部の係止具結束技術を発明した。
前述の先端部の係止具結束技術を使用してからは頭から食ったのと尻尾から食ったのとは、ほぼ半々である。
この仕掛けでは市販品のＮＯ３のトリプルフック（８ｃ−１）線径１．０ｍｍのブラウン係色を使用しているが、３本のフックの内１本のみにフッキィングした時、フックは伸びて逃がしてしまう、「８ｃ−１」はＮｏ３のトリプルフックの大きさで線径１．０〜１．２ｍｍのブラウン係色で更にフックの伸び方向の剛性ＵＰの平打ちをしたものが好ましい、
この仕掛けの「８ｃ−２」は市販品のＮｏ２のトリプルフックに補助具を使ってフック部とカン部間の長さを長くしているが、これも前記Ｎｏ３のトリプルフック（８ｃ−１）同様の大きさの線径１．０〜１．２ｍｍのブラウン係色で、更にフックの伸び方向の剛性ＵＰの平打ちをし、フック部とカン部の長さを１．５倍近く長くするのが、好ましい遊動トリプルフックの形である。
【００４７】
第７図は道糸（１０）に着脱自在部を有する  枝ハリス（８）の着脱自在具（８ａ）に接続する略楕円形の錘（８ｅ）であって、この略楕円形の錘（８ｅ・１〜５号）はなくてもつれることは釣れるが、生き餌を付け海中に投入した時、餌の魚によっては真っ直ぐに深い方向に潜ってくれる者もおるが、大半は図１１に記載の様に生餌（８ｄ）は、生きの良い時は道糸を「くの字」に曲げながら抵抗のある方向（岸方向あるいは左右方向に）に泳いで海面で、もがいている、この状態のままにしておくと、魚は弱るし、鳥とかに食べられてしまう、しかし道糸を「くの字」に曲げながら抵抗のある方向に力強く泳ぐ時間は数分間隔で泳ぎ疲れ少し力が弱った時、前記「くの字」に曲げた、曲りの角度が小さく成り、その時この錘を付けていると枝ハリス（８）の着脱自在具部（８ａ）が深い方向に少しずつスライドし、この錘に接続している絡み止め（８ｆ）が見えなくなり次第に、水面より棚に近い深さに餌を入れる効果があるので、好ましくはこの錘（８ｅ）をつけるのが良い、
前記軸線方向の貫通穴を設けた錘に、かつ、貫通穴の両端入り口部入り口方向を大径とするテーパー部（ＴＰＨ）を設けたことを特徴とする、枝ハリス（８）の着脱自在具部（８ａ）に接続する略楕円形の錘（８ｅ−１ａ）にしたことであつて、
図７に記載のように錘両端部の（ＴＰＨ−２）の効果は錘の両端入り口部は鋳込み製造でのシャープなエッジが残っている場合が多々あり、一方の入り口部はハリス（８ｂ−１）・（８ｂ−１ａ）の端部及び結束部をテーパー部で収納・固着して保護し、他方の入り口は絡み止め（８ｆ）を挿入固着しハリス（８ｂ−１ａ）を保護して、糸切れと絡み対策になるので更に好ましいのはこの錘（８ｅ−１ａ）をつけるのが非常に良い。
【００４８】
道糸（１０）であるが（段落番号００４２）のハリスに記載しているものが、使用可能なものである、
他の人の仕掛けと絡む心配のない場所ではＰＥを使用しても問題ないが、試釣の間に
近くで、ＰＥ１号で釣り上げた人が１人居た。
しかし少なくて６ｍ間隔でつりをしている場所では、誰かの竿に魚が掛かった場合、掛かった魚は速いスピードで逃げ回るので、必ず数人の人の仕掛けに絡まるのでＰＥはこの釣りの道糸（１０）に使用するのは推薦しがたい。
このブッ込み釣りの道糸（１０）に使用しているのは、ナイロン１０号（色はオレンジ）でナイロンの伸びる特性が掛かった魚の強烈な引き込みのショックアブソバーになっているが、１本釣り上げる度に伸びた部分を切って捨てる事が欠点であるが、１日１本釣れれば大漁の部類に入るので、早く次の２本目をゲットしたい人は、道糸を巻いた予備のスプールもしくはリールを使い、枝ハリス（８）の予備を使えば簡単に釣りが再開できる。
この仕掛けでは道糸（１０）にナイロン１０号（色はオレンジ）を使用しているが、大物釣りの初心者向けには、取り込み時に失敗が少ないナイロン１２号を使用するのが好ましい。
【００４９】
竿（１１）は２０〜３０ｍ以上投げられる物ならグラスロッドでもカーボンロットでも良く限定はしないが、護岸部での取り込みを考え、かつ、生餌の弱り難さを考慮すると、長さは４ｍ〜６ｍは欲しい、更に竿先部は５０号の錘の遠投に耐える物で、生餌の引く力で穂先が２０〜５０ｃｍ程度たわむ先調子のものが好ましい。
【符号の説明】
【００５０】
１，      錘。
３，      しもり（浮きを挟んで錘側）。
４，    浮き。
５、しもり（浮きを挟んで浮き止め側）。
６、浮き止め（６ａ、  浮き止めでフットボール状の弾性体、６ｂ、  ６ａの弾性体を貫通している線体の輪部、６ｃ．撚ってある糸体の浮き止め、６ｄ  輪ゴム状の弾性体の浮き止め）。
７、枝ハリス止め体（７ｃ．撚ってある糸体の枝ハリス止め体、７ｄ．輪ゴム状の弾性体の枝ハリス止め体）。
８、枝ハリス体全体。
８１、スナップサルカン（よりフックに至る枝ハリス体全体を表している場合もある）。      
８１−２、  ８ａ−４のスナップサルカンのスナップ線材体。
８１−３、  ８ａ−５のスナップサルカンのスナップ線材体。
８ａ、  枝ハリス着脱自在具。
８ａｂ、玉体とは別体のスナップ部を有する着脱自在部
８ａｃ、スナップサルカンから係止具に至る枝ハリス体
８ａ−１。枝ハリス止め体で、止まる穴を有する着脱自在具（８a）の略球形状の玉体と、スナップ部を有する枝ハリス着脱自在部を別体で構成している枝ハリス着脱自在具で、玉体にスリット・Ｖ字案内部・道糸を貫通さす間隙・側面の平坦面・弾性部を設けた構成のもの。
８ａ−２．８ａ−２のスリットを、枝ハリス止め体で、止まる穴の側方に設けた枝ハリス止め玉体と枝ハリス着脱自在部を別体で構成している枝ハリス着脱自在具
８ａ−３、８ａ−１での、枝ハリス止め具の玉体の弾性部と両側に略平坦部と弾性部を設けていない物で、スリット（割れ目）を玉体貫通側部に設け弾性部とした物で、枝ハリス着脱自在部を別体で構成している枝ハリス着脱自在具。
８ａ−４、線材体部内側に線材体で枝ハリス止め体を止め得る穴を構成した枝ハリス着脱自在具。            
８ａ−５、線材体部外側に線材体で枝ハリス止め体を止め得る穴を構成した枝ハリス着脱自在具。        
８ａ−６、線材体と略楕円筒で構成した枝ハリス着脱自在具。
８ａ−７、枝ハリス止め具の玉体の８ａ−１〜８ａ−３と線材体を主材とする部材を一体にした枝ハリス着脱自在具。
８ａ−８、８ａ−７で球形状の外面に凹部を設けた枝ハリス着脱自在具。
８ａ−９、スナップ部、スナップ受け部を有する線材体で構成した枝ハリス着脱自在具。            
８ａ−１０、８ａ−８のスナップ部、スナップ受け部を線材体で構成した枝ハリス着脱自在具。        
８ａ−１０ａ、８ａ−１０の球形状を立方体で構成した枝ハリス着脱自在具。
８ａ−１１、８ａ−７のスナップ部、スナップ受け部を線材体で構成した枝ハリス着脱自在具。        
８ａ−１２、枝ハリス止め体で、止まる穴を有する枝ハリス止め具の中駒体と・スナップ部、スナップ受け部を有する線材体で構成した枝ハリス着脱自在具。
８ａ−１３、枝ハリス着脱自在部で弾性性状を有する樹脂を主材として成形された物の１例      
８ａ−６１、枝ハリス着脱自在具８ａ−６の略楕円筒
８ａ−６２、枝ハリス着脱自在具８ａ−６の略楕円筒の下端ストッパーの、線材体の凸部。        
８ａ−ｐ、  ８ａ−１２の略円板形状の中駒体。
８ｂ、      枝ハリス部のハリス。
８ｂ−１、  より戻し部から係止具の間を接続するハリス。
８ｂ−１ａ、８ｂ−１を可塑性パイプなどで強度ｕｐした物。
８ｂ−２、  ８ｃ−１側のストッパー。
８ｂ−２ａ、８ｃ−１，８ｃ−２間のパイプ８ｃ−１ｐの移動を固定する前記パイプ両端のストッパーの一方。
８ｂ−２ｂ、８ｃ−１，８ｃ−２間のパイプ８ｃ−１ｐの移動を固定する前記パイプ両端のストッパーの他方。
８ｃ      係止具、（８ｃ−１、トリプルフック固定側，８ｃ−２、  トリプルフック遊動側。
８ｃ−３  二股吊りのトリプルフック，８ｃ−４  シングルフツク
８ｃ−５、  ダブルフツク）。
８ｄ、      生き餌。
８ｅ、      枝ハリス着脱自在具に接続してつけている錘。
８ｆ、      絡み止めパイプ。
１１、      投げ竿
１１ａ      竿本体。
１１ｂ，    リール（スピニングリール）。
８１、    ストッパー付スナップサルカン（８１−２，８１−３，８１−５，８１−６）。
Ｄ、      枝ハリス着脱自在部に設けた弾性部。
Ｈ、      枝ハリス止め体で止まり得る穴。（枝ハリス着脱自在具道糸通糸穴）
Ｊ−１、  ８ａ−１３の樹脂の板体の切り割リ片
Ｊ−１ａ  Ｊ−１に軟体金属をインサートした物。
Ｊ−２、  Ｊ−１の残りの残片。
Ｊ−２ａ  Ｊ−２に軟体金属をインサートした。
Ｌ、      Ｊ−１，Ｊ−２の接続ヒンジ部。
Ｐ、      弾性パイプ。
Ｐ１、    可塑性樹脂パイプ。
Ｐ−２、  ストッパー（２）接続部の道糸に通しているパイプ。
Ｒｋ−１、Ｊ−２円板体円周外壁面部に設けた弾性（ロック機構）の凸。
Ｒｋ−１ｂ、Ｒｋ−１  別タイプのイメージ体。
Ｒｋ−２、Ｊ−２円板体円周外壁面部に設けた弾性（ロック機構）の凸・凹・貫通穴。
Ｒｋ−２ａ、Ｒｋ−１  別タイプのイメージ体。
Ｒｋ−２ｂ、Ｒｋ−１  別タイプのイメージ体。
Ｓ、      道糸が貫通可能な間隙。
Ｓａ、    スナップ受け部（側の線材体）。
Ｓａ−２、８ｂ−１０の  スナップ受け部。
Ｓａ−３、８ｂ−１１の  スナップ受け部。
Ｓａ−４、８ｂ−４，８ｂ−５，８ｂ−７，８ｂ−８の  スナップ受け部。
Ｓａ−５、８ｂ−６のスナップ受け部。
Ｓａ−６、８ｂ−１２のスナップ受け部。
Ｓｂ、    スナップ部（側の線材体）。
Ｓｂ−２、８ａ−１０の  スナップ部。
Ｓｂ−３、８ａ−１１の  スナップ部。
Ｓｂ−４、８ａ−４，８ａ−５，８ａ−７，８ａ−８の  スナップ部。
Ｓｂ−５、８ａ−６のスナップ部。
Ｓｂ−６、８ａ−１２のスナップ部。
Ｔ、      略球状形状の枝ハリス着脱自在部の玉体の割れ目入り口のリップ部。
ＴＰＨ、  枝ハリス着脱自在部の道糸が通る穴の入り口部に設けた入り口側を大径とするテーパー穴。
ＴＰＨ−２、枝ハリス着脱自在部のより戻し部に接続している錘に設けた、入り口側を大径とするテーパー穴。
Ｗ  、    スリット（割れ目）。
Ｙ  、    より戻し部（を有する物Ｙで表現している物もあり）。
Ｚ、      略球状形状の枝ハリス着脱自在部の玉体。
【手続補正２】
【補正対象書類名】特許請求の範囲
【補正対象項目名】全文
【補正方法】変更
【補正の内容】
【特許請求の範囲】
【請求項１】
仕掛けを投げ竿で投入した道糸に取り付ける枝ハリスの枝ハリス着脱自在具であり、上記枝ハリスの着脱自在具が、スナップ部を有する線材体にリング穴部を設け、上記リング穴部には道糸を挿入出来る間隙を設けたものであることを特徴とする枝ハリスの着脱自在具。